(57)【要約】【課題】絶縁品質を向上させる。【解決手段】回転子と固定子とから構成される回転電機の固定子の製造方法は、ティースの形状に合致する形状にコイルを形成するステップ（Ｓ１１００）と、固定子鉄心を製造するステップ（Ｓ１０００）と、コイルをティースに巻着させるステップ（Ｓ１２００）と、固定子鉄心に巻着されたコイルに対して絶縁処理を施す処理ステップ（Ｓ１４００）とを含む。【選択図】図１６
2010104232.tif 000002
【特許請求の範囲】
【請求項１】
回転子と固定子とから構成される回転電機の固定子の製造方法であって、前記固定子は、複数のティースを有する固定子鉄心と、前記ティースに巻着されたコイルとを含み、
前記ティースの形状に合致する形状に前記コイルを形成するステップと、
前記固定子鉄心を製造するステップと、
前記コイルを前記ティースに巻着させるステップと、
前記固定子鉄心に巻着された前記コイルに対して絶縁処理を施す処理ステップとを含む、固定子の製造方法。
【請求項２】
前記処理ステップは、前記固定子鉄心と前記コイルとの間が絶縁されるように処理するステップを含む、請求項１に記載の固定子の製造方法。
【請求項３】
各前記ティースに巻着されたコイルは、導電部材で形成され、前記導電部材同士が接触する接触部を有し、
前記処理ステップは、前記接触部が絶縁されるように処理するステップを含む、請求項１に記載の固定子の製造方法。
【請求項４】
前記処理ステップは、前記コイルと、前記コイルが巻着された前記ティースと隣接するティースに巻着されたコイルとの間が絶縁されるように処理するステップを含む、請求項１に記載の固定子の製造方法。
【請求項５】
前記処理ステップは、結線処理されたコイルが絶縁されるように処理するステップを含む、請求項１に記載の固定子の製造方法。
【請求項６】
各前記ティースに巻着されたコイルは、導電部材で形成され、前記導電部材同士が接触する接触部を有し、
前記処理ステップは、前記固定子鉄心と前記コイルとの間、前記接触部、前記コイルと、前記コイルが巻着された前記ティースと隣接するティースに巻着されたコイルとの間、結線処理された前記コイルの結線処理部の４ヶ所の中の少なくとも２ヶ所が同時に絶縁されるように処理するステップを含む、請求項１に記載の固定子の製造方法。
【請求項７】
前記処理ステップは、絶縁材料を加圧して前記コイルに付着させるステップを含む、請求項１〜６のいずれかに記載の固定子の製造方法。
【請求項８】
前記処理ステップは、絶縁材料を前記コイルに含浸させて前記コイルに付着させるステップを含む、請求項１〜６のいずれかに記載の固定子の製造方法。
【請求項９】
前記処理ステップは、真空雰囲気において絶縁材料を前記コイルに含浸させて、前記コイルに付着させるステップを含む、請求項１〜６のいずれかに記載の固定子の製造方法。
【請求項１０】
前記処理ステップは、無機系の絶縁材料を前記コイルに付着させるステップを含む、請求項１〜９のいずれかに記載の固定子の製造方法。
【発明の詳細な説明】
【技術分野】
【０００１】
本発明は、回転子と固定子とから構成される回転電機の製造方法に関し、特に、固定子の製造方法に関する。
【背景技術】
【０００２】
従来、回転子と固定子とから構成される回転電機において、回転電機の固定子の製造方法は、まず、打ち抜いた珪素鋼板を積層して固定子鉄心を製造する。そして、製造した固定子鉄心に絶縁紙を挿入する。別途コイルを環状に巻回しておく。つづいて、巻回したコイルを固定子鉄心に挿入する。そして、固定子鉄心の各相間に絶縁紙を組み付ける。その後、コイルエンド部を予め定められた形状に成形する。そして、端末部において結線処理等を行なう工程を経て、固定子は製造される。
【０００３】
固定子の製造方法としては、以下のような公報に開示されている。
【０００４】
特許文献１（特開２００３−２４４９０７号公報）は、含浸性が悪い高熱伝導用ワニスを使用させているときでも、コイルの隙間にワニスを含浸させて、コイル間の熱伝導率、コイル、ステータ間の熱伝導率を向上させ、抜熱性を向上させる電動機の製造方法を開示する。この電動機の製造方法は、電動機のステータスロットに巻線を挿入して電動機を製造する方法である。電動機の製造方法は、ステータスロットに挿入されるスロット絶縁紙をステータスロットのティース部よりステータ内周側に突出させた状態で、スロット絶縁紙内に巻線を挿入させる。その後、巻線にワニスを滴下含浸させながら、ステータ内側に挿入したコイル圧縮冶具で、スロット絶縁紙の突出部分を内側に折り曲げさせ、巻線を圧縮成形させる。
【０００５】
この特許文献１に開示された電動機の製造方法によると、含浸性が悪い高熱伝導用ワニスを使用しているときでも、コイルの隙間にワニスを含浸させることができる。さらに、スロット占積率を向上させることができる。これによってコイルの隙間にワニスを充填させて、コイル間の熱伝導率と、コイルおよびステータ間の熱伝導率とを向上させる。すなわち、抜熱性を向上させることができる。さらに、コイルの隙間を小さくさせて、コイル断面積をアップさせることにより、銅損を低減させることができる。そして、ウェッジなどを不要にさせて、電動機を製造する際の部品点数、工程数を低減させる。すなわち、製造コストを低減させることができる。
【先行技術文献】
【特許文献】
【０００６】
【特許文献１】特開２００３−２４４９０７号公報
【発明の概要】
【発明が解決しようとする課題】
【０００７】
しかしながら、特許文献１に開示された電動機の製造方法においては、絶縁における重要部品であるコイルに対して、１）ノズルを介して巻枠への組み付け、２）挿入冶具でのコイル挿入、３）コイルエンド成形冶具での成形、などの絶縁被覆へのダメージの大きい加工を工程のさまざまな箇所で行なっているという問題があった。
【０００８】
一般に同期モータの固定子の製造方法は、図２０に示すような手順で行なわれる。
【０００９】
ステップ（以下、ステップをＳと略して記載する。）２０００にて、固定子鉄心は、電磁鋼板を予め定められた形状にプレス成形された後に、所定の枚数だけ積層して形成される。Ｓ２１００にて、固定子鉄心のスロットに絶縁紙が組み付けられる。
【００１０】
一方、Ｓ２２００にて、コイルをたとえば、エナメル等の絶縁材料で絶縁被覆された導体の巻線で構成するとすると、コイルの巻線は、環状に巻回される。そして、Ｓ２３００にて、巻回されたコイルを固定子鉄心のスロット間のティースに組み付ける。
【００１１】
Ｓ２４００にて、固定子鉄心に挿入したコイルを成形して、固定子鉄心へのコイルの巻着が完了する。Ｓ２５００にて、巻着したコイルに対して結線処理を施す。Ｓ２６００にて、固定子に組み付けられた絶縁紙およびコイルに付着された絶縁材料の傷つきを検査する。Ｓ２７００にて、製造された固定子の不良品の検査等の最終検査を行なう。
【００１２】
上述したような手順で行なう場合、固定子鉄心にコイルを組み付ける際に、固定子鉄心に組み付けられた絶縁紙、あるいは、コイルに付着した絶縁材料は、コイルの組み付けの前に予め固定子鉄心に組み付けられている。そのため、コイルを固定子鉄心に組み付ける際にコイルの張力や挿入時の圧力などの組み付け時に、絶縁材料に対してさまざまな力が加わる。そのことにより、絶縁紙あるいは絶縁材料がはがれるといった問題が起こる。
【００１３】
また、絶縁紙を組み付けた状態の固定子鉄心、または、絶縁材料が付着されたコイルは、部品単体の精度が悪い。そのため、機械によるコイルの固定子鉄心への自動組み付けは、困難であった。
【００１４】
さらに、固定子の製造工程において絶縁材料は絶縁性能の他に強度を確保する必要がある。そのため、耐熱性、耐電圧のより高い、たとえば、セラミックスやガラス繊維等の無機系の絶縁材料の使用ができない。すなわち、絶縁材料の選択が制限されるため、回転電機の耐熱性、耐電圧を向上させることが困難であるという問題があった。
【００１５】
本発明は、上述したような課題を解決するためになされたものであって、その目的は、絶縁品質を向上させた回転電機の固定子の製造方法を提供することである。
【課題を解決するための手段】
【００１６】
第１の発明に係る固定子の製造方法は、回転子と固定子とから構成される回転電機の固定子の製造方法である。固定子は、複数のティースを有する固定子鉄心と、ティースに巻着されたコイルとを含む。固定子の製造方法は、ティースの形状に合致する形状にコイルを形成するステップと、固定子鉄心を製造するステップと、コイルをティースに巻着させるステップと、固定子鉄心に巻着されたコイルに対して絶縁処理を施す処理ステップとを含む。
【００１７】
第１の発明によると、コイルを形成するステップにて、コイルは、固定子鉄心が有するティースの形状に合致する形状（たとえば、ティースとコイルとの間に隙間を有するように設計された形状）に形成される。コイルをティースに巻着させるステップにて、コイルは、ティースに巻着される。処理ステップにて、固定子鉄心に巻着されたコイルに対して絶縁処理を施す。このように、固定子鉄心にコイルが巻着された後に、固定子鉄心のティースとコイルとの間の隙間に対して絶縁処理を行なうことにより、品質の高い絶縁処理を施すことができる。すなわち、コイルの巻着後に絶縁処理を施すため、固定子鉄心へのコイル組み付け時に固定子鉄心あるいは、コイルは、絶縁被覆されていない。そのため、コイルの組み付け時に絶縁被覆が傷つくことを回避することができる。したがって、絶縁処理は、高い絶縁品質を確保することができる。これにより、絶縁品質を向上させた回転電機の固定子の製造方法を提供することができる。また、固定子鉄心へのコイルの組み付け時においては、絶縁被覆されていないため、部品の精度が高い。そして、コイルの組み付け時に絶縁被覆の傷つきを考慮する必要がない。そのため、固定子鉄心へのコイルの組み付けの工程を自動化することができる。すなわち、固定子鉄心へのコイルの組み付け性が向上する。そして、組み付けたコイルの品質の安定が図れる。さらに、絶縁被覆の傷つきが起こらないため、固定子の中間検査として行なわれる絶縁検査の工程を省略することができる。そのため、固定子の製造時間の短縮が図れる。すなわち、固定子の製造コストの低減が図れる。
【００１８】
そして、上述したように固定子の絶縁被覆に対して製造工程におけるダメージを受けることがなくなるため、製造工程におけるダメージに対する絶縁材料の強度を確保する必要がなくなる。そのため、耐熱性、耐電圧のより高い絶縁材料を使用することができる。すなわち、回転電機の耐熱性、耐電圧を向上させることができる。
【００１９】
さらに、製造工程におけるダメージに対する絶縁品質、信頼性を確保する必要がなくなるために絶縁材料の選択が制限されることもなくなる。したがって、今まで製造工程におけるダメージに対する強度等が確保できないため使用できなかった無機系の材料（たとえば、セラミックス、ガラス繊維等）を絶縁材料として使用することができる。
【００２０】
第２の発明に係る固定子の製造方法においては、第１の発明の構成に加えて、処理ステップは、固定子鉄心とコイルとの間が絶縁されるように処理するステップを含む。
【００２１】
第２の発明によると、コイルが固定子鉄心に巻着された後にコイルと固定子鉄心との間が絶縁されるように処理される。コイルの巻着後に絶縁処理を施すため、固定子鉄心へのコイルの組み付け時には、固定子鉄心あるいはコイルは絶縁被覆されていない。また、コイルは、固定子鉄心のティースに合致する形状（ティースとコイルとの間に隙間を有するように設計された形状）に形成される。そのため、コイルの組み付け時に、絶縁被覆が傷つくことを回避することができる。したがって、コイルと固定子鉄心との間の、コイルの寸法とティースの寸法の差に応じて生じる隙間に対して絶縁処理により、高い絶縁品質を確保することができる。
【００２２】
第３の発明に係る固定子の製造方法においては、第１の発明の構成に加えて、各ティースに巻着されたコイルは、導電部材で形成され、導電部材同士が接触する接触部を有する。処理ステップは、接触部が絶縁されるように処理するステップを含む。
【００２３】
第３の発明によると、固定子鉄心における各ティースに巻着されたコイルは、導電部材（たとえば、らせん形状に形成される金属平板）で形成される。また、コイルは、金属平板同士が接触する接触部を有する。なお、「接触部」は、金属平板同士の間に隙間を有している状態を含む。そして、処理ステップにて、コイルが固定子鉄心に巻着された後に接触部が絶縁されるように処理される。コイルの巻着後に接触部の絶縁処理を施すため、固定子鉄心へのコイル組み付け時に固定子鉄心あるいは、コイルは、絶縁被覆されていない。そのため、コイルの組み付け時に絶縁被覆が傷つくことを回避することができる。したがって、接触部に対しての絶縁処理により、高い絶縁品質を確保することができる。
【００２４】
第４の発明に係る固定子の製造方法においては、第１の発明の構成に加えて、処理ステップは、コイルと、コイルが巻着されたティースと隣接するティースに巻着されたコイルとの間が絶縁されるように処理するステップを含む。
【００２５】
第４の発明によると、コイルが固定子鉄心に巻着された後にコイルと、コイルが巻着されたティースと隣接するティースに巻着されたコイルとの間が絶縁されるように処理される。コイルの巻着後に絶縁処理を施すため、固定子鉄心へのコイル組み付け時に固定子鉄心あるいは、コイルは、絶縁被覆されていない。そのため、コイルの組み付け時に絶縁被覆が傷つくことを回避することができる。したがって、コイルと、コイルが巻着されたティースと隣接するティースに巻着されたコイルとの間に対しての絶縁処理により、高い絶縁品質を確保することができる。
【００２６】
第５の発明に係る固定子の製造方法においては、第１の発明の構成に加えて、処理ステップは、結線処理されたコイルが絶縁されるように処理するステップを含む。
【００２７】
第５の発明によると、コイルが固定子鉄心に巻着された後に結線処理されたコイルが絶縁されるように処理される。コイルの巻着後に絶縁処理を施すため、固定子鉄心へのコイル組み付け時に固定子鉄心あるいは、コイルは、絶縁被覆されていない。そのため、コイルの組み付け時に絶縁被覆が傷つくことを回避することができる。したがって、結線処理されたコイルに対しての絶縁処理により、高い絶縁品質を確保することができる。
【００２８】
第６の発明に係る固定子の製造方法においては、第１の発明の構成に加えて、各ティースに巻着されたコイルは、導電部材で形成され、導電部材同士が接触する接触部を有する。処理ステップは、固定子鉄心とコイルとの間、接触部、コイルと、コイルが巻着されたティースと隣接するティースに巻着されたコイルとの間、結線処理されたコイルの結線処理部の４ヶ所の中の少なくとも２ヶ所が同時に絶縁されるように処理するステップを含む。
【００２９】
第６の発明によると、コイルが固定子鉄心に巻着された後に絶縁処理を施すため、固定子鉄心とコイルとの間、コイルの導電部材同士の接触部、コイルと、コイルが巻着されたティースと隣接するティースに巻着されたコイルとの間、結線処理されたコイルの結線処理部の４ヶ所の中の少なくとも２ヶ所が同時に絶縁されるように処理することが可能になる。コイルの巻着後に絶縁処理を施すため、固定子鉄心へのコイル組み付け時に、固定子鉄心あるいはコイルは、絶縁被覆されていない。そのため、コイルの組み付け時に絶縁被覆が傷つくことを回避することができる。したがって、高い絶縁品質を確保することができる。また、上述した４ヶ所の中の少なくとも２ヶ所に対して同時に絶縁処理を行なうことにより、製造時間の短縮が図れる。そのため、固定子の製造コストの低減が図れる。
【００３０】
第７の発明に係る固定子の製造方法においては、第１〜６のいずれかの発明の構成に加えて、処理ステップは、絶縁材料を加圧してコイルに付着させるステップを含む。
【００３１】
第７の発明によると、処理ステップにて、絶縁材料を加圧してコイルに付着させる。コイルが固定子鉄心に巻着された後に固定子鉄心とコイルとの間、コイルの導電部材同士の接触部、コイルと、コイルが巻着されたティースと隣接するティースに巻着されたコイルとの間、結線処理されたコイルの結線処理部の４ヶ所の中のいずれかの箇所に対して、絶縁材料を加圧してコイルに付着させる。そのため、それぞれの箇所に絶縁材料を用いて絶縁処理を行なうことができる。
【００３２】
第８の発明に係る固定子の製造方法においては、第１〜６のいずれかの発明の構成に加えて、処理ステップは、絶縁材料をコイルに含浸させてコイルに付着させるステップを含む。
【００３３】
第８の発明によると、処理ステップにて、絶縁材料をコイルに含浸させてコイルに付着させる。コイルが固定子鉄心に巻着された後に固定子鉄心とコイルとの間、コイルの導電部材同士（たとえば、らせん形状に形成される金属平板同士）の接触部、コイルと、コイルが巻着されたティースと隣接するティースに巻着されたコイルとの間、結線処理されたコイルの結線処理部の４ヶ所の中のいずれかの箇所に対して、コイルが巻着された固定子鉄心を絶縁材料に浸すいわゆる含浸により絶縁材料をコイルに付着させる。そのため、それぞれの箇所に対して絶縁材料を用いて絶縁処理を行なうことができる。
【００３４】
第９の発明に係る固定子の製造方法においては、第１〜６のいずれかの発明の構成に加えて、処理ステップは、真空雰囲気において絶縁材料をコイルに含浸させてコイルに付着させるステップを含む。
【００３５】
第９の発明によると、処理ステップにて、真空雰囲気において絶縁材料を含浸させて、コイルに付着させる。コイルが固定子鉄心に巻着された後に固定子鉄心とコイルとの間、コイルの導電部材同士（たとえば、らせん形状に形成される金属平板同士）の接触部、コイルと、コイルが巻着されたティースと隣接するティースに巻着されたコイルとの間、結線処理されたコイルの結線処理部の４ヶ所の中のいずれかの箇所に対して、真空雰囲気において固定子鉄心に巻着されたコイルに絶縁材料を含浸させてコイルに付着させる。そのため、それぞれの箇所に対して絶縁材料を用いて絶縁処理を行なうことができる。
【００３６】
第１０の発明に係る固定子の製造方法においては、第１〜９のいずれかの発明の構成に加えて、処理ステップは、無機系の絶縁材料をコイルに付着させるステップを含む。
【００３７】
第１０の発明によると、絶縁材料として無機系の材料（たとえば、セラミックス、ガラス繊維等）を用いる。固定子鉄心へのコイルの巻着後に絶縁処理を施すため、コイル巻着時の絶縁被覆のダメージを回避することができる。そのため、製造工程におけるダメージを確保する必要がないため、耐熱性、耐電圧の高いセラミックス、ガラス繊維等の無機系の絶縁材料が使えるため、回転電機の耐熱性、耐電圧を向上させることができる。
【図面の簡単な説明】
【００３８】
【図１】第１の実施の形態に係る回転電機の固定子の外観を示す図である。
【図２】第１の実施の形態に係るコの字形状の積層体コイルの外観を示す図である。
【図３】第１の実施の形態に係る積層体コイルの断面を示す図である。
【図４】第１の実施の形態に係る積層体コイルの積層方向の積層断面を示す図である。
【図５】第１の実施の形態に係る銅圧延素材の金属平板の外観を示す図である。
【図６】第１の実施の形態に係る積層体コイルの絶縁処理の経過を示す図である。
【図７】第１の実施の形態に係る複数の積層体コイルで形成されるコイルの外観を示す図である。
【図８】第１の実施の形態に係るステータコアに挿入されるコイルの組み付け経過を示す図である。
【図９】第１の実施の形態に係るステータコアに組み付けられたコイルの外観を示す図である。
【図１０】第１の実施の形態に係るバスバーが組み付けられたコイルの外観を示す図である。
【図１１】第１の実施の形態に係る複数のバスバーが固定されたバスバー位置決めブロックが組み付けられたコイルの外観を示す図である。
【図１２】第１の実施の形態に係るコイルの開放端部に組み付けられたバスバーの接合を示す図である。
【図１３】第１の実施の形態に係るコイルの端部に渡り部材を組み付ける経過を示す図である。
【図１４】第１の実施の形態に係るコイルの端部に組み付けられた渡り部材の端部の接合を示す図である。
【図１５】第１の実施の形態に係るコイルエンド部をモールド処理された固定子の外観を示す図である。
【図１６】第１の実施の形態に係る回転電機の固定子の製造方法を示すフローチャートである。
【図１７】第２の実施の形態に係る回転電機の固定子の外観を示す図である。
【図１８】第２の実施の形態に係る回転電機の固定子を構成する部分固定子鉄心の外観を示す図である。
【図１９】第２の実施の形態に係る回転電機の固定子を構成する固定子鉄心の外観を示す図である。
【図２０】従来の回転電機の固定子の製造方法を示すフローチャートである。
【発明を実施するための形態】
【００３９】
以下、図面を参照しつつ、本発明の実施の形態に係る回転電機の固定子の製造方法について説明する。以下の説明では、同一の部品には同一の符号を付してある。それらの名称および機能も同じである。したがってそれらについての詳細な説明は繰返さない。
【００４０】
＜第１の実施の形態＞
本実施の形態に係る固定子の製造方法を説明するにあたり、まず、この固定子の製造方法により製造された回転電機の固定子の構造について同期モータの固定子を一例として説明する。
【００４１】
同期モータは、固定子と永久磁石からなる回転子とから構成される。固定子１００は、図１に示すように固定子鉄心（以下の説明において、「ステータコア」は、「固定子鉄心」と同じ意味を示す。）１０２と、コイル１１２と、バスバー１１０と、バスバー位置決めブロック１０４と、渡り部材１０６とから構成される。
【００４２】
ステータコア１０２は、複数の電磁鋼板が積層され中空円筒形状を形成している。そして、ステータコア１０２は、同期モータの回転軸に平行な方向に所定数の溝（以下、スロットという）を有している。所定数のスロットは、極数に対応した個数を有している。極数は、特に限定されるものではないが本実施の形態においては、たとえば、２１とする。また、スロット間には、歯部（以下、ティースという。）１０８を有している。ティースの個数もスロットと同様に極数に対応している。したがって、本実施の形態において、極数が２１のステータコア１０２は、２１個のティース間に２１個のスロットが形成されている。
【００４３】
そして、ティース１０８には、端部が巻着可能に開いた複数の予め定められた形状の導体の金属平板（図示せず）が積層された金属導体である積層体コイル（図示せず）が同期モータの回転軸に平行な方向に、ティース１０８を跨ぐようにして、ティース１０８の両脇のスロットに挿入されている。そして、ティース１０８の両脇のスロットにおいては、同期モータの径方向に複数の積層体コイルが挿入されている。挿入される積層体コイルの数は、特に限定されるものではないが、たとえば、本実施の形態においては、ティース１０８を跨ぐようにして径方向に１０個の積層体コイルが挿入されている。
【００４４】
積層体コイルの開放端部は、直線形状の導体であるバスバー１１０の両端部と接合される。このとき、バスバー１１０の一方端部は、積層体コイルの開放端部の一方と接合される。そして、バスバー１１０の他方端部は、積層体コイルに隣接する積層体コイルに有する開放端部の一方に接合される。以下同様に、１０個の積層体コイルの開放端部の一方がバスバーを介して隣接する積層体コイルの開放端部の一方とそれぞれ接続されることにより、ティース１０８にコイルが１０回巻着された状態となる。すなわち、１０ターンのコイル１１２が形成される。
【００４５】
ティース１０８において複数の積層体コイルの開放端部間を接続するための複数のバスバーが位置決めされてバスバー位置決めブロック１０４に固定される。そのため、バスバー位置決めブロック１０４が所定の位置に設置され、押圧されることにより、複数の積層体コイルの開放端部にそれぞれ対応したバスバーが組み付けられる。そして、レーザ溶接、あるいは、ＴＩＧ溶接などの接合処理により、組み付けられたバスバーと開放端部とが接合される。
【００４６】
複数のバスバーが接続されて、ティース１０８に巻着されたコイル１１２は、ティース１０８の両脇のスロットのうち一方のスロットの内周側と他方のスロットの外周側にそれぞれバスバーに接続されないコイル端部を有する。そして、コイル端部の各々は、他のティースに巻着されたコイルと渡り部材１０６により接続される。また、ステータコア１０２に含まれる他のティースにおいても同様に、１０ターンのコイルが形成されている。そして、各ティースのコイル間の接続は、３ティース毎のコイル端部が渡り部材を用いて接続される。そして、コイル端部１４０、１４２、１４４は、渡り部材により互いに接続される。このようにして、三相の同期モータの固定子１００が形成される。そして、コイル端部１３４、１３６、１３８のそれぞれに交流電力の位相を制御して供給することにより、磁界が発生する。同期モータの回転子は、発生した磁界に基づいて回転力を得る。
【００４７】
積層体コイルを構成する金属平板の材質は、少なくとも導体の金属平板であれば、特に限定されるものではないが、本実施の形態において、たとえば、銅圧延素材である。金属平板として銅圧延素材を用いることにより、銅が高い熱伝達率を有するために、よりコイルの放熱性を向上させることができる。また、銅は内部抵抗が低く、導体として伝導率も高い。そのため、電流密度を向上させたときの発熱も低減させることができる。そして、銅圧延素材の金属平板の表面には酸化銅の絶縁被覆の表面処理が施されている。
【００４８】
また、積層体コイルを構成するステータコアに巻着可能に開いた予め定められた形状の金属平板は、開放端部と、平行な上底および下底と、上底および下底を接続する接続端部とを有する形状である。本実施の形態においては、積層体コイルは、たとえば、コの字形状の金属平板を積層して形成される。すなわち、積層体コイルは、プレス工程において、コの字形状にプレス成形された金属平板が積層されて形成される。ただし、プレス成形される金属平板の形状は、コの字形状に特に限定されるものではない。たとえば、金属平板は、Ｕ字形状にプレス成形されてもよい。
【００４９】
図２に示すように、本実施の形態における積層体コイル１１４は、複数のコの字形状の金属平板が積層されて形成される。このとき、積層体コイル１１４の開放端部と平行な上底および下底とがティース１０８の両脇のスロット１４６、１４８にそれぞれ挿入される。また、上底および下底とを接続する接続端部は、コイルエンド部を形成する。このとき、積層体コイル１１４において、スロット１４６、１４８へ挿入される上底および下底の断面を図３（Ａ）に示す。また、コイルエンド部を形成する接続端部の断面を図３（Ｂ）に示す。図３（Ａ）および図３（Ｂ）を比較すると、積層体コイル１１４においてコイルエンド部を形成する接続端部の断面積は、スロット１４６、１４８に挿入される上底および下底の断面積よりも大きい。
【００５０】
そのため、コイルエンド部およびスロット１４６、１４８における積層体コイル１１４の断面積を同じとした場合に比べて、コイルエンド部を形成するコイルの体積が増加する。そのため、コイルエンド部における熱容量が向上する。スロット内に発熱した熱は、熱抵抗の殆どない同一ターンのコイルエンド部に伝達される。その結果、スロット内のコイルからコイルエンド部への放熱性が向上する。したがって、スペースの小さなスロット内のコイルにおいて電流密度を向上させることが可能となる。すなわち、電流密度が向上した分のステータコア１０２の小型化が可能となる。
【００５１】
以下、図２を用いて説明したように積層体コイル１１４においてコイルエンド部を形成する接続端部の断面積を、スロットへ挿入される上底および下底の断面積よりも大きくすることにより、スロット内の電流密度を向上させることができる原理について説明する。
【００５２】
コイルの短時間の熱定格として以下のように考える。１）コイルの発熱がすべてコイルの温度上昇に使われているとする。２）コイルの温度はどの部分も均一とする。また、同一ターン内の積層体コイル内部の熱抵抗は、外部への放熱抵抗よりも十分小さい。
【００５３】
このとき、積層体コイルの全発熱量Ｑは、Ｑ＝２×（Ｒａ（積層体コイル１１４の上底および下底の抵抗）＋Ｒｂ（積層体コイル１１４の接続端部の抵抗））×Ｉ2（電流）×ｄｔ（通電時間）と表わすことができる。すなわち、Ｑ＝γ（銅比熱）×ρ（銅密度）×２×（Ａａ（上底および下底の断面積）×Ｌａ（上底および下底の長さ）＋Ａｂ（接続端部の断面積）×Ｌｂ（接続端部の長さ））×ｄＴ（温度上昇）となる。
【００５４】
一方、コイル抵抗Ｒは、Ｒ＝２×（Ｒａ＋Ｒｂ）＝２×α（比抵抗）×（Ｌａ／Ａａ＋Ｌｂ／Ａｂ）と表わすことができる。
【００５５】
すなわち、Ｑ＝２×α×（Ｌａ／Ａａ＋Ｌｂ／Ａｂ）×Ｉ2×ｄｔ＝γ×ρ×２×（Ａａ×Ｌａ＋Ａｂ×Ｌｂ）×ｄＴとなる。ここで、Ｌｂ＝Ｘ×Ｌａとし、Ａｂ＝Ａａとして、上述した式を整理すると、（Ｉ／Ａａ）2＝γ×ρ／α×（ｄＴ／ｄｔ）×（Ｘ×Ｙ2＋Ｙ）／（Ｘ＋Ｙ）となる。すなわち、上述した式の右辺のγ×ρ／α×（ｄＴ／ｄｔ）の項が一般のモータにおいて、スロット側の上底および下底の断面積と、コイルエンド側の接続端部の断面積とが同じである場合の実質的な式となる。すなわち、定格時間における温度上昇ｄＴは、電流密度（Ｉ／Ａａ）の２乗に比例する。また（Ｘ×Ｙ2＋Ｙ）／（Ｘ＋Ｙ）の項は、スロット側の上底および下底の長さおよび断面積とコイルエンド側の接続端部の長さおよび断面積とが異なる場合に憂慮すべき項である。たとえば、ＬｂがＬａの長さの０．３倍（Ｘ＝０．３）かつＡｂがＡａの断面積の３倍（Ｙ＝３）のとき、（Ｘ×Ｙ2＋Ｙ）／（Ｘ＋Ｙ）の項は、１．３１４となる。すなわち、同一温度条件で約１．３倍のスロット内の電流密度を向上させることができる。これは、約３割の小型化が可能であることを意味する。以上のことから、積層体コイル１１４において、コイルエンド部を形成する接続端部の断面積をスロットへ挿入される上底および下底の断面積よりも大きくすることにより、スロット内の電流密度を向上させることができる。
【００５６】
また、スロット内のコイルにおいては、ステータコア１０２と接触している。そのため、銅損により発生した熱をステータコアに放熱することにより、温度を低く維持しやすい。一方、コイルエンド部のコイルにおいては、空気にさらされている。そのため、銅損により発生した熱を外部に放熱することが難しい。そこで、本実施の形態において、コイルエンドを形成する金属平板をステータコアに接触するようにコの字形状を形成する。その結果、コイルエンド部からステータコア１０２への放熱が可能となる。そのため、コイルエンド部の放熱性を高めることができる。すなわち、たとえば、スロットがステータコアの端面に直交して形成されている場合、コの字形状のコイルを積層方向から見て上底および下底と接続端部との内側の角度を直角にする。そのため、コイルエンドを形成する金属平板をステータコアに接触させることができる。また、たとえば、スロットがスキュー角をつけて形成される場合においても、上底および下底との接続端部との内側の角度をスキュー角に対応した角度にする。そのため、コイルエンドを形成する金属平板をステータコアに接触させることができる。
【００５７】
また、モータの体格の軸方向の長さは、ステータコアとステータコアに巻着されたコイルエンド部の体格で規定される。そのため、金属平板および積層体コイルをコの字形状に形成することにより、コイルエンド部の占積率を高めることができる。その結果、固定子の小型化が図れる。
【００５８】
次に、積層体コイル１１４を形成する複数のコの字形状の金属平板には、図２の積層体コイル１１４に示されるように、３ヶ所の突出部が設けられている。そして、積層体コイル１１４を形成するために、金属平板の突出部の凹部に他の金属平板の突出部の凸部を圧入するいわゆる積層カシメにより互いが固定される。そして、同様に予め定められた枚数の金属平板に対して、積層カシメにより固定することにより、積層体コイル１１４が形成される。積層体コイル１１４を形成する金属平板が互いに固定されることにより、積層体毎の運搬が可能となる。その結果、固定子に対して積層体コイル１１４の組み付け時の作業性が向上する。なお、予め定められた枚数は、特に限定されるものではないが本実施の形態において、３枚または４枚の金属平板の積層により積層体コイル１１４が形成される。
【００５９】
図４（Ａ）は、コの字形状の金属平板１１６の突出部を含むように積層方向に切断した断面図である。そして、図４（Ｂ）に示すように積層カシメにより、金属平板１１６の突出部の凸部が金属平板１２０の突出部の凹部に圧入される。そして、金属平板１２０の凸部が金属平板１２２に設けられた穴部に圧入されて互いに固定される。このようにして、図４（Ｃ）に示すような積層体コイル１１４が形成される。
【００６０】
また、隣接する積層体コイルとの固定には、接着剤を用いてもよい。すなわち、金属平板の突出部の凹部を接着剤の受け皿として塗布することにより、図４（Ｄ）に示すように積層体コイル１１４と積層体コイル１２４との接着を行なってもよい。積層体コイル同士を接着する際に、カシメ部を接着材の受け皿とすることができる。そのため、コイルの組み立て時の作業性を向上させることができる。
【００６１】
以下の説明において、上述した固定子１００の構成に基づき、銅圧延素材から固定子１００が形成される過程について説明する。
【００６２】
図５は、銅圧延素材の金属平板１２６の外観を示す図である。銅圧延素材の金属平板１２６の表面には、酸化銅の絶縁被覆の表面処理がされている。プレス工程において、銅圧延素材の金属平板１２６は、コの字形状にプレス成形される。そして、コの字形状にプレス成形された金属平板は、図４において説明したように、予め定められた枚数だけ積層される。そして、金属平板を積層カシメにより互いに固定することにより、図６（Ａ）に示すように、積層体コイル１１４が形成される。そして、積層体コイル１１４は、図６（Ｂ）に示すように、隣接する積層体コイルに対する絶縁処理が行なわれる。隣接する積層体コイルとの絶縁は、特に限定されるものではないが、たとえば、ガラス等の無機材質を介在させてもよいし、積層体毎にエナメル処理を施してもよい。そして、積層体コイル１１４は、図６（Ｃ）に示すように、絶縁体上の所定の位置に接着剤を塗布して、他の積層体コイルと接着することができる。あるいは、図４（Ｄ）を用いて説明したように積層体コイルの互いの突出部の凹部を接着剤の受け皿として用いてもよい。
【００６３】
絶縁体を介在させて複数の積層体コイルを接着することにより、図７に示すようにコイル１１２が形成される。このとき、コイル１１２を形成する積層体コイルのそれぞれにおいて異なる寸法を有するコの字形状の金属平板を積層する。このようにして、スロットに挿入される積層体コイルの断面形状を自由に設定することができる。すなわち、スロットの形状に合わせて、同期モータの径方向の内周側から外周側にかけて、（図７において、上部から底部にかけて）、コの字形状のスロットに挿入される金属平板の幅を大きくする。そのため、スロット内におけるコイル１１２の占積率を高くすることができる。
【００６４】
複数の積層体コイルにより形成されたコイル１１２は、図８に示すように、ステータコア１０２のティース１０８を跨ぐようにして挿入される。すなわち、コイル１１２の上底および下底に対応するそれぞれの開放端部は、同期モータの回転軸方向と平行な方向に、ティース１０８の両脇のスロット１４６、１４８に対してそれぞれ挿入される。
【００６５】
積層体コイルの開放端部とバスバーとが接触する接触部において、予め定められた枚数の金属平板のうちの一部に板厚方向と直交する長さを異なる長さとして所定形状の切り欠きを設けることにより、嵌合部が形成される。嵌合部を形成することにより、バスバーの組付け性が向上する。
【００６６】
図９に、スロット１４６および１４８に挿入されたコイル１１２の開放端部を示す。図９に示すように、コイル１１２を形成する積層体コイルは、積層体コイルの各々において異なる形状の嵌合部を有する。また、各積層体コイルの各々において、異なる形状の嵌合部を有することにより、バスバーが組み付けられる際に、組み付け間違いを防止することができる。異なる嵌合部の形状は、積層体コイルを形成する金属平板において、所定形状の切り欠きを有する金属平板の枚数を変更することにより実現できる。
【００６７】
なお、図１０に示すように、各積層体コイルの接合部に対応した複数のバスバーを個別に組み付ける場合、少なくとも隣接する積層体コイルにおける嵌合部の形状と異なることとする。隣接する積層体コイルの嵌合部の形状が異なることにより、バスバーの組み付け間違いを防止することができる。
【００６８】
特に、図１１に示すように、複数のバスバーが固定された位置決めブロック１０４により一度に組み付け等の作業を行なう場合は、コイル１１２における各積層体コイルの開放端部の嵌合部において少なくとも１つが異なる形状を有することにより、バスバーの組み付け時の組み付け間違いを防止することができる。さらに、接合場所が特定されるために、位置決めを行なうための治具なしで接合処理を施すことができる。本実施の形態においては、内周側の３つの積層体コイルと、中央の３つの積層体コイルと、外周側の４つの積層体コイルとで嵌合部は、異なる形状を有する。
【００６９】
バスバーが積層体コイルに組み付けられると、図１２に示すように、コイル１１２に組み付けられたバスバーと各積層体コイルの開放端部とのそれぞれの嵌合部は、一点毎にレーザ溶接、あるいは、ＴＩＧ溶接により多点接合される。
【００７０】
バスバーと各積層体コイルの開放端部とが接合されると、渡り部材を用いてティース毎に巻着されたコイルが接続される。すなわち、本実施の形態の同期モータは、三相の交流同期モータであるため、３ティース毎にコイルの外周側のコイル端部と内周側のコイル端部とが図１３に示すように、渡り部材を用いて接続される。そして、図１４に示すように、コイル１１２と渡り部材１０６とをレーザ溶接あるいはＴＩＧ溶接により、接合処理が施される。その結果、図１に示すような固定子１００が形成される。そして、コイルエンド部に対して樹脂等を用いてモールド処理が施されて、図１５に示すような固定子１００が形成される。
【００７１】
本実施の形態に係る同期モータの固定子の製造方法においては、従来、コイルが巻着される前に行なっていた絶縁処理をコイルが巻着された後に行なう。このようにして、コイルおよび固定子鉄心に付着された絶縁材料の傷つきを防止するものである。
【００７２】
本実施の形態に係る同期モータの固定子の製造方法は、図１６に示すような手順で行なわれる。
【００７３】
すなわち、Ｓ１０００にて、固定子鉄心が製造される。すなわち、固定子鉄心は、電磁鋼板を所定の形状にプレス成形した後、予め定められた枚数だけ積層して形成される。Ｓ１１００にて、コイルは、固定子鉄心のティースの形状に合致する形状に成形される。ここで、「ティースの形状に合致する形状」とは、コイルがティースに巻着されたときに、コイルとティースとの間で隙間が生じるように設計された形状である。本実施の形態に係るコイルは、図２に示したようにコの字形状の金属平板を積層した積層体コイルである。積層体コイルを固定子鉄心のティースを跨ぐようにして組み付けたときに、コの字形状の積層体コイルにおける開放端部を有する二つの部材間の幅の寸法は、対応するティースの幅の寸法よりも大きい寸法になるように設計される。
【００７４】
Ｓ１２００にて、固定子鉄心に対して成形されたコイルを組み付ける。すなわち、図８〜図１２までに示したように、固定子鉄心が有するスロットに対してコイルの開放端部を挿入する。このとき、コイルはスロット間のティースに跨ぐようにして組み付けられる。そして、コイルの開放端部に対してバスバーを用いて接続することにより、固定子鉄心に対してコイルが巻着された状態とする。このとき、コイルと固定子鉄心との間には、積層体コイルの二つの部材間の幅の寸法とティース幅の寸法との差に応じて隙間が生じる。
【００７５】
Ｓ１３００にて、結線処理が行なわれる。すなわち、各スロットに巻着されたコイルの端部は、それぞれ対応するコイルの端部と、図１３および図１４に示したように渡り部材により結線処理が行なわれる。Ｓ１４００にて、後絶縁工程が行なわれる。後絶縁工程とは、本実施の形態に係る回転電機においては、図１５に示したように、固定子鉄心に巻着されたコイルに対して絶縁処理を施す処理である。絶縁処理については、本実施の形態において樹脂を加圧してコイルに付着されるいわゆる射出成形による絶縁処理を施すが、特に限定されるものではない。たとえば、エナメル材等の絶縁材料を満たした容器にコイルが巻着された固定子鉄心を含浸させることにより、コイルに対して絶縁処理を施してもよい。あるいは、容器にコイルが巻着された固定子鉄心を入れて密閉し、内部の空気を抜いた真空雰囲気において絶縁材料を充填していく真空含浸により絶縁処理を施してもよい。
【００７６】
このようにして、後絶縁工程における絶縁処理は、固定子鉄心とコイルとの隙間を絶縁材料である樹脂を用いて埋めるようにして絶縁される。そして、絶縁処理は、コイルと隣接するティースに巻着されるコイルとの間の隙間を樹脂を用いて埋めるようにして絶縁する。さらには、絶縁処理は、渡り部材あるいはバスバーとが接続されるコイルの結線処理部を樹脂を用いて埋めるようにして絶縁する。すなわち、本実施の形態においては、コイルが固定子鉄心に巻着された後に固定子鉄心とコイルとの間、コイルと隣接するティースに巻着されたコイルとの間、コイルの結線処理部の３ヶ所を同時に絶縁処理を行なう。絶縁処理が固定子鉄心にコイルが巻着された後に行なわれることにより、製造工程における絶縁被覆への傷つきを回避することができる。Ｓ１５００にて、製造された固定子の不良品の検査等の最終検査を行なう。
【００７７】
以上のようにして、本実施の形態に係る回転電機の固定子の製造方法によると、コイルを形成するステップにて、コイルは、固定子鉄心が有するティースとコイルとの間に隙間を有するように設計された形状に形成される。コイルをティースに巻着させるステップにて、コイルは、ティースに巻着される。処理ステップにて、固定子鉄心に巻着されたコイルに対して絶縁処理を施す。このように、固定子鉄心にコイルが巻着された後に、固定子鉄心のティースとコイルとの間の隙間に対して絶縁処理を行なうことにより、品質の高い絶縁処理を施すことができる。すなわち、コイルの巻着後に絶縁処理を施すため、固定子鉄心へのコイル組み付け時に固定子鉄心あるいは、コイルは、絶縁被覆されていない。そのため、コイルの組み付け時に絶縁被覆が傷つくことを回避することができる。したがって、絶縁処理は、高い絶縁品質を確保することができる。これにより、絶縁品質を向上させた回転電機の固定子の製造方法を提供することができる。
【００７８】
また、固定子鉄心へのコイルの組み付け時においては、絶縁被覆されていないため、部品の精度が高い。そして、コイルの組み付け時に絶縁被覆の傷つきを考慮する必要がない。そのため、固定子鉄心へのコイルの組み付けの工程を自動化することができる。すなわち、固定子鉄心へのコイルの組み付け性が向上する。そして、組み付けたコイルの品質の安定が図れる。さらに、絶縁被覆の傷つきが起こらないため、固定子の中間検査として行なわれる絶縁検査の工程を省略することができる。そのため、固定子の製造時間の短縮が図れる。すなわち、固定子の製造コストの低減が図れる。
【００７９】
そして、上述したように固定子の絶縁被覆に対して製造工程におけるダメージを受けることがなくなるため、製造工程におけるダメージに対する絶縁材料の強度を確保する必要がなくなる。そのため、耐熱性、耐電圧のより高い絶縁材料を使用することができる。すなわち、回転電機の耐熱性、耐電圧を向上させることができる。
【００８０】
さらに、製造工程におけるダメージに対する絶縁品質、信頼性を確保する必要がなくなるために絶縁材料の選択が制限されることもなくなる。したがって、今まで製造工程におけるダメージに対する強度等が確保できないため使用できなかった無機系の材料（たとえば、セラミックス、ガラス繊維等）を絶縁材料として使用することができる。
【００８１】
また、コイルが固定子鉄心に巻着された後にコイルと固定子鉄心との間が絶縁されるように処理される。コイルの巻着後に絶縁処理を施すため、固定子鉄心へのコイルの組み付け時には、固定子鉄心あるいはコイルは絶縁被覆されていない。また、コイルは、固定子鉄心のティースとコイルとの間に隙間を有するように設計された形状に形成される。そのため、コイルの組み付け時に、絶縁被覆が傷つくことを回避することができる。したがって、コイルと固定子鉄心との間の、コイルの寸法とティースの寸法の差に応じて生じる隙間に対して絶縁処理により、高い絶縁品質を確保することができる。
【００８２】
そして、コイルが固定子鉄心に巻着された後にコイルと、コイルが巻着されたティースと隣接するティースに巻着されたコイルとの間が絶縁されるように処理される。コイルの巻着後に絶縁処理を施すため、固定子鉄心へのコイル組み付け時に固定子鉄心あるいは、コイルは、絶縁被覆されていない。そのため、コイルの組み付け時に絶縁被覆が傷つくことを回避することができる。したがって、コイルと、コイルが巻着されたティースと隣接するティースに巻着されたコイルとの間に対しての絶縁処理により、高い絶縁品質を確保することができる。
【００８３】
さらに、コイルが固定子鉄心に巻着された後に結線処理されたコイルが絶縁されるように処理される。コイルの巻着後に絶縁処理を施すため、固定子鉄心へのコイル組み付け時に固定子鉄心あるいは、コイルは、絶縁被覆されていない。そのため、コイルの組み付け時に絶縁被覆が傷つくことを回避することができる。したがって、結線処理されたコイルに対しての絶縁処理により、高い絶縁品質を確保することができる。
【００８４】
そして、コイルが固定子鉄心に巻着された後に絶縁処理を施すため、固定子鉄心とコイルとの間、コイルと、コイルが巻着されたティースと隣接するティースに巻着されたコイルとの間、結線処理されたコイルの結線処理部の３ヶ所の中の少なくとも２ヶ所が同時に絶縁されるように処理することが可能になる。そのため、製造時間の短縮が図れる。したがって、固定子の製造コストの低減が図れる。
【００８５】
なお、本実施の形態において、積層体コイル間の絶縁は、積層体コイル間に絶縁材料を介在させることにより行なわれるがたとえば、積層体コイルを固定子鉄心に挿入する際に積層体コイル間で隙間が生じるように組み付けてもよい。すなわち、後絶縁工程において、固定子鉄心とコイルとの間、積層体コイル間、コイルと、コイルが巻着されたティースと隣接するティースに巻着されたコイルとの間、結線処理されたコイルの結線処理部の４ヶ所の中の少なくとも２ヶ所が同時に絶縁されるように処理することが可能になる。
【００８６】
また、コイルをスロットに挿入する前に絶縁処理を行なった場合においても、コイル挿入後に上述したような箇所に絶縁処理を行なえばよい。
【００８７】
＜第２の実施の形態＞
以下、第２の実施の形態に係る回転電機の固定子の製造方法について説明する。本実施の形態に係る固定子の製造方法を説明するにあたり、まず、この固定子の製造方法により製造された回転電機の固定子の構造について同期モータの固定子を一例として説明する。
【００８８】
図１７に示すように、本実施の形態に係る同期モータの固定子２００は、部分固定子鉄心２０２と、コイル端部２０４、２０６と、渡り部材２０８と、端子２１０とから構成される。部分固定子鉄心は、複数が組み合わされて、同期モータの固定子鉄心を形成する。
【００８９】
部分固定子鉄心２０２にコイル（図示せず）が巻着されている。そして、巻着されたコイルのコイル端部２０６が渡り部材２０８を介して部分固定子鉄心２１８のコイル端部と接続される。そして、端子２１０と他の２つの端子（図示せず）とのそれぞれに交流電力の位相を制御して供給する。これにより、固定子２００には、磁界が発生する。
【００９０】
図１８（Ａ）に示すように、固定子鉄心の製造工程において、部分固定子鉄心２０２が製造される。部分固定子鉄心２０２の製造方法は、特に限定されるものではないが、たとえば、粗形材を加工することにより形成されてもよいし、鉄粉に絶縁樹脂を混合し圧縮成形した、いわゆる圧粉成形により形成されてもよい。
【００９１】
一方、図１８（Ｂ）に示すようにコイル端部２０４、２０６を有するコイル２１２が巻回される。このコイル２１２を形成する導電部材は、絶縁処理が施されていない。このコイル２１２の導電部材の製造方法は、特に限定されるものではないが、たとえば、本実施の形態において、コイル２１２は、直線形状の金属平板を導電部材として、この金属平板を屈曲させてらせん形状に形成して製造される。このとき、コイル２１２は、らせん形状に形成される金属平板同士が接触する接触部において、隙間が生じるように設計される形状である。さらに、コイル２１２は、ティース２１４の形状に合致する形状になるように形成される。すなわち、コイル２１２をティース２１４に挿入したときに、コイル２１２とティース２１４との間に隙間が生じる形状になるように設計される。具体的には、コイル２１２のらせん形状の金属平板における内側の穴の幅、高さの寸法がティース２１２の幅、高さの寸法よりも大きい寸法になるように設計される。
【００９２】
そして、図１８（Ｃ）に示すように、コイル２１２は、部分固定子鉄心２０２に設けられるティース２１４に挿入されて巻着された状態となる。このとき、コイル２１２とティース２１４との間には、上述したようなそれぞれの寸法の差に応じて隙間が生じる。
【００９３】
そして、コイル２１２が巻着された部分固定子鉄心２０２は、図１９に示すように、同様に形成される部分固定子鉄心２１６と接続される。部分固定子鉄心同士の接続は、特に限定されるものではないが、たとえば、部分固定子鉄心２０２におけるヨーク部の周方向の両端部に凹凸形状の突出部および開口部をそれぞれ設ける。そして、隣接する部分固定子鉄心２１６が有する凹凸形状の突出部および開口部と嵌合することにより、接続される。
【００９４】
以上のようにして、固定子鉄心が構成される。そして、各部分固定子鉄心に対応するコイル端部がそれぞれ３つごとに渡り部材を介して接続される結線処理が施されることにより、図１７に示すような三相交流同期モータの固定子を構成する。
【００９５】
以上のような製造工程を経て構成された固定子２００に対して、絶縁材料である樹脂を用いて絶縁処理を施す。すなわち、絶縁処理は、部分固定子鉄心２０２に巻着されたコイル２１２を形成するらせん形状の金属平板同士間に形成された隙間を樹脂で埋めるようにして絶縁する。そして、絶縁処理は、コイル２１２と部分固定子鉄心２０２との間に生じる隙間を樹脂を用いて埋めるようにして絶縁する。さらに、絶縁処理は、コイル２１２と、部分固定子鉄心２０２に隣接する部分固定子鉄心に巻着されるコイルとの隙間を樹脂を用いて埋めるようにして絶縁する。そして、絶縁処理は、コイル端部と渡り部材が接続される結線処理部が樹脂を用いて埋めるようにして絶縁する。
【００９６】
絶縁処理については、本実施の形態において樹脂を加圧してコイルに付着されるいわゆる射出成形による絶縁処理を施すが、特に限定されるものではない。たとえば、エナメル材等の絶縁材料に満たした容器にコイルが巻着された固定子鉄心を含浸させることにより、コイルに対して絶縁処理を施しても良い。あるいは、容器にコイルが巻着された固定子鉄心を入れて密閉し、内部の空気を抜いた真空雰囲気において絶縁材料を充填していく真空含浸により絶縁処理を施しても良い。
【００９７】
本実施の形態においては、コイルが固定子鉄心に巻着された後に、固定子鉄心とコイルとの間、らせん形状に形成された金属平板同士の接触部、コイルと隣接するティースに巻着されたコイルとの間、コイルの結線処理部の４ヶ所を同時に絶縁処理を行なう。絶縁処理が固定子鉄心にコイルが巻着された後に行なわれることにより、製造工程における絶縁被覆への傷つきを回避することができる。
【００９８】
このような構成の回転電機の固定子２００の製造方法は、前述した第１の実施の形態において、Ｓ２４００の後絶縁工程において、コイルを形成する金属平板同士の接触部に対して絶縁処理をさらに含む以外、図１６を用いて説明した手順と同様の手順で行なわれる。そのため、詳細な説明は繰り返さない。
【００９９】
以上のようにして、本実施の形態に係る回転電機の固定子の製造方法によると、前述の第１の実施の形態と同様の効果を有する。
【０１００】
さらに、固定子鉄心における各ティースに巻着されたコイルは、らせん形状に形成された金属平板で形成される。また、コイルは、金属平板同士が接触する接触部を有する。なお、「接触部」は、金属平板同士の間に隙間を有している状態を含む。そして、処理ステップにて、コイルが固定子鉄心に巻着された後に接触部が絶縁されるように処理される。コイルの巻着後に接触部の絶縁処理を施すため、固定子鉄心へのコイル組み付け時に固定子鉄心あるいは、コイルは、絶縁被覆されていない。そのため、コイルの組み付け時に絶縁被覆が傷つくことを回避することができる。したがって、接触部に対しての絶縁処理により、高い絶縁品質を確保することができる。
【０１０１】
また、コイルが固定子鉄心に巻着された後に絶縁処理を施すため、固定子鉄心とコイルとの間、コイルの金属平板同士の接触部、コイルと、コイルが巻着されたティースと隣接するティースに巻着されたコイルとの間、結線処理されたコイルの結線処理部の４ヶ所の中の少なくとも２ヶ所が同時に絶縁されるように処理することが可能になる。そのため、製造時間の短縮が図れる。したがって、固定子の製造コストの低減が図れる。
【０１０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０３】
１００，２００  固定子、１０２  ステータコア、１０４  バスバー位置決めブロック、１０６，２０８  渡り部材、１０８，２１４  ティース、１１０  バスバー、１１２，２１２  コイル、１１４，１２４  積層体コイル、１１６，１２０，１２２，１２６  金属平板、１３４，１３６，１３８，１４０，１４２，１４４，２０４，２０６  コイル端部、１４６，１４８  スロット、１５０，１５２，２１８，３１８  端部、２０２，２１６，２１８  部分固定子鉄心、２１０  端子。
【図１】
2010104232.tif 000003
【図２】
2010104232.tif 000004
【図３】
2010104232.tif 000005
【図４】
2010104232.tif 000006
【図５】
2010104232.tif 000007
【図６】
2010104232.tif 000008
【図７】
2010104232.tif 000009
【図８】
2010104232.tif 000010
【図９】
2010104232.tif 000011
【図１０】
2010104232.tif 000012
【図１１】
2010104232.tif 000013
【図１２】
2010104232.tif 000014
【図１３】
2010104232.tif 000015
【図１４】
2010104232.tif 000016
【図１５】
2010104232.tif 000017
【図１６】
2010104232.tif 000018
【図１７】
2010104232.tif 000019
【図１８】
2010104232.tif 000020
【図１９】
2010104232.tif 000021
【図２０】
2010104232.tif 000022
【手続補正書】
【提出日】平成22年1月28日(2010.1.28)
【手続補正１】
【補正対象書類名】明細書
【補正対象項目名】全文
【補正方法】変更
【補正の内容】
【発明の詳細な説明】
【技術分野】
【０００１】
本発明は、回転子と固定子とから構成される回転電機の製造方法に関し、特に、固定子の製造方法に関する。
【背景技術】
【０００２】
従来、回転子と固定子とから構成される回転電機において、回転電機の固定子の製造方法は、まず、打ち抜いた珪素鋼板を積層して固定子鉄心を製造する。そして、製造した固定子鉄心に絶縁紙を挿入する。別途コイルを環状に巻回しておく。つづいて、巻回したコイルを固定子鉄心に挿入する。そして、固定子鉄心の各相間に絶縁紙を組み付ける。その後、コイルエンド部を予め定められた形状に成形する。そして、端末部において結線処理等を行なう工程を経て、固定子は製造される。
【０００３】
固定子の製造方法としては、以下のような公報に開示されている。
【０００４】
特許文献１（特開２００３−２４４９０７号公報）は、含浸性が悪い高熱伝導用ワニスを使用させているときでも、コイルの隙間にワニスを含浸させて、コイル間の熱伝導率、コイル、ステータ間の熱伝導率を向上させ、抜熱性を向上させる電動機の製造方法を開示する。この電動機の製造方法は、電動機のステータスロットに巻線を挿入して電動機を製造する方法である。電動機の製造方法は、ステータスロットに挿入されるスロット絶縁紙をステータスロットのティース部よりステータ内周側に突出させた状態で、スロット絶縁紙内に巻線を挿入させる。その後、巻線にワニスを滴下含浸させながら、ステータ内側に挿入したコイル圧縮冶具で、スロット絶縁紙の突出部分を内側に折り曲げさせ、巻線を圧縮成形させる。
【０００５】
この特許文献１に開示された電動機の製造方法によると、含浸性が悪い高熱伝導用ワニスを使用しているときでも、コイルの隙間にワニスを含浸させることができる。さらに、スロット占積率を向上させることができる。これによってコイルの隙間にワニスを充填させて、コイル間の熱伝導率と、コイルおよびステータ間の熱伝導率とを向上させる。すなわち、抜熱性を向上させることができる。さらに、コイルの隙間を小さくさせて、コイル断面積をアップさせることにより、銅損を低減させることができる。そして、ウェッジなどを不要にさせて、電動機を製造する際の部品点数、工程数を低減させる。すなわち、製造コストを低減させることができる。
【先行技術文献】
【特許文献】
【０００６】
【特許文献１】特開２００３−２４４９０７号公報
【発明の概要】
【発明が解決しようとする課題】
【０００７】
しかしながら、特許文献１に開示された電動機の製造方法においては、絶縁における重要部品であるコイルに対して、１）ノズルを介して巻枠への組み付け、２）挿入冶具でのコイル挿入、３）コイルエンド成形冶具での成形、などの絶縁被覆へのダメージの大きい加工を工程のさまざまな箇所で行なっているという問題があった。
【０００８】
一般に同期モータの固定子の製造方法は、図２０に示すような手順で行なわれる。
【０００９】
ステップ（以下、ステップをＳと略して記載する。）２０００にて、固定子鉄心は、電磁鋼板を予め定められた形状にプレス成形された後に、所定の枚数だけ積層して形成される。Ｓ２１００にて、固定子鉄心のスロットに絶縁紙が組み付けられる。
【００１０】
一方、Ｓ２２００にて、コイルをたとえば、エナメル等の絶縁材料で絶縁被覆された導体の巻線で構成するとすると、コイルの巻線は、環状に巻回される。そして、Ｓ２３００にて、巻回されたコイルを固定子鉄心のスロット間のティースに組み付ける。
【００１１】
Ｓ２４００にて、固定子鉄心に挿入したコイルを成形して、固定子鉄心へのコイルの巻着が完了する。Ｓ２５００にて、巻着したコイルに対して結線処理を施す。Ｓ２６００にて、固定子に組み付けられた絶縁紙およびコイルに付着された絶縁材料の傷つきを検査する。Ｓ２７００にて、製造された固定子の不良品の検査等の最終検査を行なう。
【００１２】
上述したような手順で行なう場合、固定子鉄心にコイルを組み付ける際に、固定子鉄心に組み付けられた絶縁紙、あるいは、コイルに付着した絶縁材料は、コイルの組み付けの前に予め固定子鉄心に組み付けられている。そのため、コイルを固定子鉄心に組み付ける際にコイルの張力や挿入時の圧力などの組み付け時に、絶縁材料に対してさまざまな力が加わる。そのことにより、絶縁紙あるいは絶縁材料がはがれるといった問題が起こる。
【００１３】
また、絶縁紙を組み付けた状態の固定子鉄心、または、絶縁材料が付着されたコイルは、部品単体の精度が悪い。そのため、機械によるコイルの固定子鉄心への自動組み付けは、困難であった。
【００１４】
さらに、固定子の製造工程において絶縁材料は絶縁性能の他に強度を確保する必要がある。そのため、耐熱性、耐電圧のより高い、たとえば、セラミックスやガラス繊維等の無機系の絶縁材料の使用ができない。すなわち、絶縁材料の選択が制限されるため、回転電機の耐熱性、耐電圧を向上させることが困難であるという問題があった。
【００１５】
本発明は、上述したような課題を解決するためになされたものであって、その目的は、絶縁品質を向上させた回転電機の固定子の製造方法を提供することである。
【課題を解決するための手段】
【００１６】
第１の発明に係る固定子の製造方法は、回転子と固定子とから構成される回転電機の固定子の製造方法である。固定子は、複数のティースを有する固定子鉄心と、ティースに巻着されたコイルとを含む。固定子の製造方法は、ティースの形状に合致する形状にコイルを形成するステップと、固定子鉄心を製造するステップと、コイルをティースに巻着させるステップと、固定子鉄心に巻着されたコイルに対して絶縁処理を施す処理ステップとを含む。ここで、コイルは絶縁処理されていない金属平板をらせん状に屈曲して形成され、処理ステップは、コイルを構成する金属平板同士の隙間に絶縁材料を充填することにより絶縁処理するステップを含む。
【００１７】
第１の発明によると、コイルを形成するステップにて、コイルは、固定子鉄心が有するティースの形状に合致する形状（たとえば、ティースとコイルとの間に隙間を有するように設計された形状）に形成される。コイルをティースに巻着させるステップにて、コイルは、ティースに巻着される。処理ステップにて、固定子鉄心に巻着されたコイルに対して絶縁処理を施す。このように、固定子鉄心にコイルが巻着された後に、固定子鉄心のティースとコイルとの間の隙間に対して絶縁処理を行なうことにより、品質の高い絶縁処理を施すことができる。すなわち、コイルの巻着後に絶縁処理を施すため、固定子鉄心へのコイル組み付け時に固定子鉄心あるいは、コイルは、絶縁被覆されていない。そのため、コイルの組み付け時に絶縁被覆が傷つくことを回避することができる。したがって、絶縁処理は、高い絶縁品質を確保することができる。これにより、絶縁品質を向上させた回転電機の固定子の製造方法を提供することができる。また、固定子鉄心へのコイルの組み付け時においては、絶縁被覆されていないため、部品の精度が高い。そして、コイルの組み付け時に絶縁被覆の傷つきを考慮する必要がない。そのため、固定子鉄心へのコイルの組み付けの工程を自動化することができる。すなわち、固定子鉄心へのコイルの組み付け性が向上する。そして、組み付けたコイルの品質の安定が図れる。さらに、絶縁被覆の傷つきが起こらないため、固定子の中間検査として行なわれる絶縁検査の工程を省略することができる。そのため、固定子の製造時間の短縮が図れる。すなわち、固定子の製造コストの低減が図れる。
【００１８】
そして、上述したように固定子の絶縁被覆に対して製造工程におけるダメージを受けることがなくなるため、製造工程におけるダメージに対する絶縁材料の強度を確保する必要がなくなる。そのため、耐熱性、耐電圧のより高い絶縁材料を使用することができる。すなわち、回転電機の耐熱性、耐電圧を向上させることができる。
【００１９】
さらに、製造工程におけるダメージに対する絶縁品質、信頼性を確保する必要がなくなるために絶縁材料の選択が制限されることもなくなる。したがって、今まで製造工程におけるダメージに対する強度等が確保できないため使用できなかった無機系の材料（たとえば、セラミックス、ガラス繊維等）を絶縁材料として使用することができる。
【００２０】
第２の発明に係る固定子の製造方法においては、第１の発明の構成に加えて、処理ステップは、固定子鉄心とコイルとの間が絶縁材料により同時に絶縁されるように処理するステップを含む。
【００２１】
第２の発明によると、コイルが固定子鉄心に巻着された後にコイルと固定子鉄心との間が絶縁されるように処理される。コイルの巻着後に絶縁処理を施すため、固定子鉄心へのコイルの組み付け時には、固定子鉄心あるいはコイルは絶縁被覆されていない。また、コイルは、固定子鉄心のティースに合致する形状（ティースとコイルとの間に隙間を有するように設計された形状）に形成される。そのため、コイルの組み付け時に、絶縁被覆が傷つくことを回避することができる。したがって、コイルと固定子鉄心との間の、コイルの寸法とティースの寸法の差に応じて生じる隙間に対して絶縁処理により、高い絶縁品質を確保することができる。
【００２２】
【００２３】
【００２４】
第３の発明に係る固定子の製造方法においては、第１または第２の発明の構成に加えて、処理ステップは、コイルと、コイルが巻着されたティースと隣接するティースに巻着されたコイルとの間が絶縁材料により同時に絶縁されるように処理するステップを含む。
【００２５】
第３の発明によると、コイルが固定子鉄心に巻着された後にコイルと、コイルが巻着されたティースと隣接するティースに巻着されたコイルとの間が絶縁されるように処理される。コイルの巻着後に絶縁処理を施すため、固定子鉄心へのコイル組み付け時に固定子鉄心あるいは、コイルは、絶縁被覆されていない。そのため、コイルの組み付け時に絶縁被覆が傷つくことを回避することができる。したがって、コイルと、コイルが巻着されたティースと隣接するティースに巻着されたコイルとの間に対しての絶縁処理により、高い絶縁品質を確保することができる。
【００２６】
第４の発明に係る固定子の製造方法においては、第１〜３の発明の構成に加えて、処理ステップは、結線処理されたコイルの結線処理部が絶縁材料により同時に絶縁されるように処理するステップを含む。
【００２７】
第４の発明によると、コイルが固定子鉄心に巻着された後に結線処理されたコイルが絶縁されるように処理される。コイルの巻着後に絶縁処理を施すため、固定子鉄心へのコイル組み付け時に固定子鉄心あるいは、コイルは、絶縁被覆されていない。そのため、コイルの組み付け時に絶縁被覆が傷つくことを回避することができる。したがって、結線処理されたコイルに対しての絶縁処理により、高い絶縁品質を確保することができる。
【００２８】
【００２９】
また第４の発明によると、コイルが固定子鉄心に巻着された後に絶縁処理を施すため、コイルを構成する金属平板同士の間、固定子鉄心とコイルとの間、コイルと、コイルが巻着されたティースと隣接するティースに巻着されたコイルとの間、結線処理されたコイルの結線処理部の４ヶ所の中の少なくとも２ヶ所が同時に絶縁されるように処理することが可能になる。コイルの巻着後に絶縁処理を施すため、固定子鉄心へのコイル組み付け時に、固定子鉄心あるいはコイルは、絶縁被覆されていない。そのため、コイルの組み付け時に絶縁被覆が傷つくことを回避することができる。したがって、高い絶縁品質を確保することができる。また、上述した４ヶ所の中の少なくとも２ヶ所に対して同時に絶縁処理を行なうことにより、製造時間の短縮が図れる。そのため、固定子の製造コストの低減が図れる。
【００３０】
第５の発明に係る固定子の製造方法においては、第１〜４のいずれかの発明の構成に加えて、処理ステップは、絶縁材料を加圧してコイルに付着させるステップを含む。
【００３１】
第５の発明によると、処理ステップにて、絶縁材料を加圧してコイルに付着させる。コイルが固定子鉄心に巻着された後に、コイルを構成する金属平板同士の間、固定子鉄心とコイルとの間、コイルと、コイルが巻着されたティースと隣接するティースに巻着されたコイルとの間、結線処理されたコイルの結線処理部の４ヶ所の中のいずれかの箇所に対して、絶縁材料を加圧してコイルに付着させる。そのため、それぞれの箇所に絶縁材料を用いて絶縁処理を行なうことができる。
【００３２】
第６の発明に係る固定子の製造方法においては、第１〜４のいずれかの発明の構成に加えて、処理ステップは、絶縁材料をコイルに含浸させてコイルに付着させるステップを含む。
【００３３】
第６の発明によると、処理ステップにて、絶縁材料をコイルに含浸させてコイルに付着させる。コイルが固定子鉄心に巻着された後に、コイルを構成する金属平板同士の間、固定子鉄心とコイルとの間、コイルと、コイルが巻着されたティースと隣接するティースに巻着されたコイルとの間、結線処理されたコイルの結線処理部の４ヶ所の中のいずれかの箇所に対して、コイルが巻着された固定子鉄心を絶縁材料に浸すいわゆる含浸により絶縁材料をコイルに付着させる。そのため、それぞれの箇所に対して絶縁材料を用いて絶縁処理を行なうことができる。
【００３４】
第７の発明に係る固定子の製造方法においては、第１〜４のいずれかの発明の構成に加えて、処理ステップは、真空雰囲気において絶縁材料をコイルに含浸させてコイルに付着させるステップを含む。
【００３５】
第７の発明によると、処理ステップにて、真空雰囲気において絶縁材料を含浸させて、コイルに付着させる。コイルが固定子鉄心に巻着された後に、コイルを構成する金属平板同士の間、固定子鉄心とコイルとの間、コイルと、コイルが巻着されたティースと隣接するティースに巻着されたコイルとの間、結線処理されたコイルの結線処理部の４ヶ所の中のいずれかの箇所に対して、真空雰囲気において固定子鉄心に巻着されたコイルに絶縁材料を含浸させてコイルに付着させる。そのため、それぞれの箇所に対して絶縁材料を用いて絶縁処理を行なうことができる。
【００３６】
第８の発明に係る固定子の製造方法においては、第１〜７のいずれかの発明の構成に加えて、処理ステップは、無機系の絶縁材料をコイルに付着させるステップを含む。
【００３７】
第８の発明によると、絶縁材料として無機系の材料（たとえば、セラミックス、ガラス繊維等）を用いる。固定子鉄心へのコイルの巻着後に絶縁処理を施すため、コイル巻着時の絶縁被覆のダメージを回避することができる。そのため、製造工程におけるダメージを確保する必要がないため、耐熱性、耐電圧の高いセラミックス、ガラス繊維等の無機系の絶縁材料が使えるため、回転電機の耐熱性、耐電圧を向上させることができる。
【図面の簡単な説明】
【００３８】
【図１】第１の実施の形態に係る回転電機の固定子の外観を示す図である。
【図２】第１の実施の形態に係るコの字形状の積層体コイルの外観を示す図である。
【図３】第１の実施の形態に係る積層体コイルの断面を示す図である。
【図４】第１の実施の形態に係る積層体コイルの積層方向の積層断面を示す図である。
【図５】第１の実施の形態に係る銅圧延素材の金属平板の外観を示す図である。
【図６】第１の実施の形態に係る積層体コイルの絶縁処理の経過を示す図である。
【図７】第１の実施の形態に係る複数の積層体コイルで形成されるコイルの外観を示す図である。
【図８】第１の実施の形態に係るステータコアに挿入されるコイルの組み付け経過を示す図である。
【図９】第１の実施の形態に係るステータコアに組み付けられたコイルの外観を示す図である。
【図１０】第１の実施の形態に係るバスバーが組み付けられたコイルの外観を示す図である。
【図１１】第１の実施の形態に係る複数のバスバーが固定されたバスバー位置決めブロックが組み付けられたコイルの外観を示す図である。
【図１２】第１の実施の形態に係るコイルの開放端部に組み付けられたバスバーの接合を示す図である。
【図１３】第１の実施の形態に係るコイルの端部に渡り部材を組み付ける経過を示す図である。
【図１４】第１の実施の形態に係るコイルの端部に組み付けられた渡り部材の端部の接合を示す図である。
【図１５】第１の実施の形態に係るコイルエンド部をモールド処理された固定子の外観を示す図である。
【図１６】第１の実施の形態に係る回転電機の固定子の製造方法を示すフローチャートである。
【図１７】第２の実施の形態に係る回転電機の固定子の外観を示す図である。
【図１８】第２の実施の形態に係る回転電機の固定子を構成する部分固定子鉄心の外観を示す図である。
【図１９】第２の実施の形態に係る回転電機の固定子を構成する固定子鉄心の外観を示す図である。
【図２０】従来の回転電機の固定子の製造方法を示すフローチャートである。
【発明を実施するための形態】
【００３９】
以下、図面を参照しつつ、本発明の実施の形態に係る回転電機の固定子の製造方法について説明する。以下の説明では、同一の部品には同一の符号を付してある。それらの名称および機能も同じである。したがってそれらについての詳細な説明は繰返さない。
【００４０】
＜第１の実施の形態＞
本実施の形態に係る固定子の製造方法を説明するにあたり、まず、この固定子の製造方法により製造された回転電機の固定子の構造について同期モータの固定子を一例として説明する。
【００４１】
同期モータは、固定子と永久磁石からなる回転子とから構成される。固定子１００は、図１に示すように固定子鉄心（以下の説明において、「ステータコア」は、「固定子鉄心」と同じ意味を示す。）１０２と、コイル１１２と、バスバー１１０と、バスバー位置決めブロック１０４と、渡り部材１０６とから構成される。
【００４２】
ステータコア１０２は、複数の電磁鋼板が積層され中空円筒形状を形成している。そして、ステータコア１０２は、同期モータの回転軸に平行な方向に所定数の溝（以下、スロットという）を有している。所定数のスロットは、極数に対応した個数を有している。極数は、特に限定されるものではないが本実施の形態においては、たとえば、２１とする。また、スロット間には、歯部（以下、ティースという。）１０８を有している。ティースの個数もスロットと同様に極数に対応している。したがって、本実施の形態において、極数が２１のステータコア１０２は、２１個のティース間に２１個のスロットが形成されている。
【００４３】
そして、ティース１０８には、端部が巻着可能に開いた複数の予め定められた形状の導体の金属平板（図示せず）が積層された金属導体である積層体コイル（図示せず）が同期モータの回転軸に平行な方向に、ティース１０８を跨ぐようにして、ティース１０８の両脇のスロットに挿入されている。そして、ティース１０８の両脇のスロットにおいては、同期モータの径方向に複数の積層体コイルが挿入されている。挿入される積層体コイルの数は、特に限定されるものではないが、たとえば、本実施の形態においては、ティース１０８を跨ぐようにして径方向に１０個の積層体コイルが挿入されている。
【００４４】
積層体コイルの開放端部は、直線形状の導体であるバスバー１１０の両端部と接合される。このとき、バスバー１１０の一方端部は、積層体コイルの開放端部の一方と接合される。そして、バスバー１１０の他方端部は、積層体コイルに隣接する積層体コイルに有する開放端部の一方に接合される。以下同様に、１０個の積層体コイルの開放端部の一方がバスバーを介して隣接する積層体コイルの開放端部の一方とそれぞれ接続されることにより、ティース１０８にコイルが１０回巻着された状態となる。すなわち、１０ターンのコイル１１２が形成される。
【００４５】
ティース１０８において複数の積層体コイルの開放端部間を接続するための複数のバスバーが位置決めされてバスバー位置決めブロック１０４に固定される。そのため、バスバー位置決めブロック１０４が所定の位置に設置され、押圧されることにより、複数の積層体コイルの開放端部にそれぞれ対応したバスバーが組み付けられる。そして、レーザ溶接、あるいは、ＴＩＧ溶接などの接合処理により、組み付けられたバスバーと開放端部とが接合される。
【００４６】
複数のバスバーが接続されて、ティース１０８に巻着されたコイル１１２は、ティース１０８の両脇のスロットのうち一方のスロットの内周側と他方のスロットの外周側にそれぞれバスバーに接続されないコイル端部を有する。そして、コイル端部の各々は、他のティースに巻着されたコイルと渡り部材１０６により接続される。また、ステータコア１０２に含まれる他のティースにおいても同様に、１０ターンのコイルが形成されている。そして、各ティースのコイル間の接続は、３ティース毎のコイル端部が渡り部材を用いて接続される。そして、コイル端部１４０、１４２、１４４は、渡り部材により互いに接続される。このようにして、三相の同期モータの固定子１００が形成される。そして、コイル端部１３４、１３６、１３８のそれぞれに交流電力の位相を制御して供給することにより、磁界が発生する。同期モータの回転子は、発生した磁界に基づいて回転力を得る。
【００４７】
積層体コイルを構成する金属平板の材質は、少なくとも導体の金属平板であれば、特に限定されるものではないが、本実施の形態において、たとえば、銅圧延素材である。金属平板として銅圧延素材を用いることにより、銅が高い熱伝達率を有するために、よりコイルの放熱性を向上させることができる。また、銅は内部抵抗が低く、導体として伝導率も高い。そのため、電流密度を向上させたときの発熱も低減させることができる。そして、銅圧延素材の金属平板の表面には酸化銅の絶縁被覆の表面処理が施されている。
【００４８】
また、積層体コイルを構成するステータコアに巻着可能に開いた予め定められた形状の金属平板は、開放端部と、平行な上底および下底と、上底および下底を接続する接続端部とを有する形状である。本実施の形態においては、積層体コイルは、たとえば、コの字形状の金属平板を積層して形成される。すなわち、積層体コイルは、プレス工程において、コの字形状にプレス成形された金属平板が積層されて形成される。ただし、プレス成形される金属平板の形状は、コの字形状に特に限定されるものではない。たとえば、金属平板は、Ｕ字形状にプレス成形されてもよい。
【００４９】
図２に示すように、本実施の形態における積層体コイル１１４は、複数のコの字形状の金属平板が積層されて形成される。このとき、積層体コイル１１４の開放端部と平行な上底および下底とがティース１０８の両脇のスロット１４６、１４８にそれぞれ挿入される。また、上底および下底とを接続する接続端部は、コイルエンド部を形成する。このとき、積層体コイル１１４において、スロット１４６、１４８へ挿入される上底および下底の断面を図３（Ａ）に示す。また、コイルエンド部を形成する接続端部の断面を図３（Ｂ）に示す。図３（Ａ）および図３（Ｂ）を比較すると、積層体コイル１１４においてコイルエンド部を形成する接続端部の断面積は、スロット１４６、１４８に挿入される上底および下底の断面積よりも大きい。
【００５０】
そのため、コイルエンド部およびスロット１４６、１４８における積層体コイル１１４の断面積を同じとした場合に比べて、コイルエンド部を形成するコイルの体積が増加する。そのため、コイルエンド部における熱容量が向上する。スロット内に発熱した熱は、熱抵抗の殆どない同一ターンのコイルエンド部に伝達される。その結果、スロット内のコイルからコイルエンド部への放熱性が向上する。したがって、スペースの小さなスロット内のコイルにおいて電流密度を向上させることが可能となる。すなわち、電流密度が向上した分のステータコア１０２の小型化が可能となる。
【００５１】
以下、図２を用いて説明したように積層体コイル１１４においてコイルエンド部を形成する接続端部の断面積を、スロットへ挿入される上底および下底の断面積よりも大きくすることにより、スロット内の電流密度を向上させることができる原理について説明する。
【００５２】
コイルの短時間の熱定格として以下のように考える。１）コイルの発熱がすべてコイルの温度上昇に使われているとする。２）コイルの温度はどの部分も均一とする。また、同一ターン内の積層体コイル内部の熱抵抗は、外部への放熱抵抗よりも十分小さい。
【００５３】
このとき、積層体コイルの全発熱量Ｑは、Ｑ＝２×（Ｒａ（積層体コイル１１４の上底および下底の抵抗）＋Ｒｂ（積層体コイル１１４の接続端部の抵抗））×Ｉ2（電流）×ｄｔ（通電時間）と表わすことができる。すなわち、Ｑ＝γ（銅比熱）×ρ（銅密度）×２×（Ａａ（上底および下底の断面積）×Ｌａ（上底および下底の長さ）＋Ａｂ（接続端部の断面積）×Ｌｂ（接続端部の長さ））×ｄＴ（温度上昇）となる。
【００５４】
一方、コイル抵抗Ｒは、Ｒ＝２×（Ｒａ＋Ｒｂ）＝２×α（比抵抗）×（Ｌａ／Ａａ＋Ｌｂ／Ａｂ）と表わすことができる。
【００５５】
すなわち、Ｑ＝２×α×（Ｌａ／Ａａ＋Ｌｂ／Ａｂ）×Ｉ2×ｄｔ＝γ×ρ×２×（Ａａ×Ｌａ＋Ａｂ×Ｌｂ）×ｄＴとなる。ここで、Ｌｂ＝Ｘ×Ｌａとし、Ａｂ＝Ａａとして、上述した式を整理すると、（Ｉ／Ａａ）2＝γ×ρ／α×（ｄＴ／ｄｔ）×（Ｘ×Ｙ2＋Ｙ）／（Ｘ＋Ｙ）となる。すなわち、上述した式の右辺のγ×ρ／α×（ｄＴ／ｄｔ）の項が一般のモータにおいて、スロット側の上底および下底の断面積と、コイルエンド側の接続端部の断面積とが同じである場合の実質的な式となる。すなわち、定格時間における温度上昇ｄＴは、電流密度（Ｉ／Ａａ）の２乗に比例する。また（Ｘ×Ｙ2＋Ｙ）／（Ｘ＋Ｙ）の項は、スロット側の上底および下底の長さおよび断面積とコイルエンド側の接続端部の長さおよび断面積とが異なる場合に憂慮すべき項である。たとえば、ＬｂがＬａの長さの０．３倍（Ｘ＝０．３）かつＡｂがＡａの断面積の３倍（Ｙ＝３）のとき、（Ｘ×Ｙ2＋Ｙ）／（Ｘ＋Ｙ）の項は、１．３１４となる。すなわち、同一温度条件で約１．３倍のスロット内の電流密度を向上させることができる。これは、約３割の小型化が可能であることを意味する。以上のことから、積層体コイル１１４において、コイルエンド部を形成する接続端部の断面積をスロットへ挿入される上底および下底の断面積よりも大きくすることにより、スロット内の電流密度を向上させることができる。
【００５６】
また、スロット内のコイルにおいては、ステータコア１０２と接触している。そのため、銅損により発生した熱をステータコアに放熱することにより、温度を低く維持しやすい。一方、コイルエンド部のコイルにおいては、空気にさらされている。そのため、銅損により発生した熱を外部に放熱することが難しい。そこで、本実施の形態において、コイルエンドを形成する金属平板をステータコアに接触するようにコの字形状を形成する。その結果、コイルエンド部からステータコア１０２への放熱が可能となる。そのため、コイルエンド部の放熱性を高めることができる。すなわち、たとえば、スロットがステータコアの端面に直交して形成されている場合、コの字形状のコイルを積層方向から見て上底および下底と接続端部との内側の角度を直角にする。そのため、コイルエンドを形成する金属平板をステータコアに接触させることができる。また、たとえば、スロットがスキュー角をつけて形成される場合においても、上底および下底との接続端部との内側の角度をスキュー角に対応した角度にする。そのため、コイルエンドを形成する金属平板をステータコアに接触させることができる。
【００５７】
また、モータの体格の軸方向の長さは、ステータコアとステータコアに巻着されたコイルエンド部の体格で規定される。そのため、金属平板および積層体コイルをコの字形状に形成することにより、コイルエンド部の占積率を高めることができる。その結果、固定子の小型化が図れる。
【００５８】
次に、積層体コイル１１４を形成する複数のコの字形状の金属平板には、図２の積層体コイル１１４に示されるように、３ヶ所の突出部が設けられている。そして、積層体コイル１１４を形成するために、金属平板の突出部の凹部に他の金属平板の突出部の凸部を圧入するいわゆる積層カシメにより互いが固定される。そして、同様に予め定められた枚数の金属平板に対して、積層カシメにより固定することにより、積層体コイル１１４が形成される。積層体コイル１１４を形成する金属平板が互いに固定されることにより、積層体毎の運搬が可能となる。その結果、固定子に対して積層体コイル１１４の組み付け時の作業性が向上する。なお、予め定められた枚数は、特に限定されるものではないが本実施の形態において、３枚または４枚の金属平板の積層により積層体コイル１１４が形成される。
【００５９】
図４（Ａ）は、コの字形状の金属平板１１６の突出部を含むように積層方向に切断した断面図である。そして、図４（Ｂ）に示すように積層カシメにより、金属平板１１６の突出部の凸部が金属平板１２０の突出部の凹部に圧入される。そして、金属平板１２０の凸部が金属平板１２２に設けられた穴部に圧入されて互いに固定される。このようにして、図４（Ｃ）に示すような積層体コイル１１４が形成される。
【００６０】
また、隣接する積層体コイルとの固定には、接着剤を用いてもよい。すなわち、金属平板の突出部の凹部を接着剤の受け皿として塗布することにより、図４（Ｄ）に示すように積層体コイル１１４と積層体コイル１２４との接着を行なってもよい。積層体コイル同士を接着する際に、カシメ部を接着材の受け皿とすることができる。そのため、コイルの組み立て時の作業性を向上させることができる。
【００６１】
以下の説明において、上述した固定子１００の構成に基づき、銅圧延素材から固定子１００が形成される過程について説明する。
【００６２】
図５は、銅圧延素材の金属平板１２６の外観を示す図である。銅圧延素材の金属平板１２６の表面には、酸化銅の絶縁被覆の表面処理がされている。プレス工程において、銅圧延素材の金属平板１２６は、コの字形状にプレス成形される。そして、コの字形状にプレス成形された金属平板は、図４において説明したように、予め定められた枚数だけ積層される。そして、金属平板を積層カシメにより互いに固定することにより、図６（Ａ）に示すように、積層体コイル１１４が形成される。そして、積層体コイル１１４は、図６（Ｂ）に示すように、隣接する積層体コイルに対する絶縁処理が行なわれる。隣接する積層体コイルとの絶縁は、特に限定されるものではないが、たとえば、ガラス等の無機材質を介在させてもよいし、積層体毎にエナメル処理を施してもよい。そして、積層体コイル１１４は、図６（Ｃ）に示すように、絶縁体上の所定の位置に接着剤を塗布して、他の積層体コイルと接着することができる。あるいは、図４（Ｄ）を用いて説明したように積層体コイルの互いの突出部の凹部を接着剤の受け皿として用いてもよい。
【００６３】
絶縁体を介在させて複数の積層体コイルを接着することにより、図７に示すようにコイル１１２が形成される。このとき、コイル１１２を形成する積層体コイルのそれぞれにおいて異なる寸法を有するコの字形状の金属平板を積層する。このようにして、スロットに挿入される積層体コイルの断面形状を自由に設定することができる。すなわち、スロットの形状に合わせて、同期モータの径方向の内周側から外周側にかけて、（図７において、上部から底部にかけて）、コの字形状のスロットに挿入される金属平板の幅を大きくする。そのため、スロット内におけるコイル１１２の占積率を高くすることができる。
【００６４】
複数の積層体コイルにより形成されたコイル１１２は、図８に示すように、ステータコア１０２のティース１０８を跨ぐようにして挿入される。すなわち、コイル１１２の上底および下底に対応するそれぞれの開放端部は、同期モータの回転軸方向と平行な方向に、ティース１０８の両脇のスロット１４６、１４８に対してそれぞれ挿入される。
【００６５】
積層体コイルの開放端部とバスバーとが接触する接触部において、予め定められた枚数の金属平板のうちの一部に板厚方向と直交する長さを異なる長さとして所定形状の切り欠きを設けることにより、嵌合部が形成される。嵌合部を形成することにより、バスバーの組付け性が向上する。
【００６６】
図９に、スロット１４６および１４８に挿入されたコイル１１２の開放端部を示す。図９に示すように、コイル１１２を形成する積層体コイルは、積層体コイルの各々において異なる形状の嵌合部を有する。また、各積層体コイルの各々において、異なる形状の嵌合部を有することにより、バスバーが組み付けられる際に、組み付け間違いを防止することができる。異なる嵌合部の形状は、積層体コイルを形成する金属平板において、所定形状の切り欠きを有する金属平板の枚数を変更することにより実現できる。
【００６７】
なお、図１０に示すように、各積層体コイルの接合部に対応した複数のバスバーを個別に組み付ける場合、少なくとも隣接する積層体コイルにおける嵌合部の形状と異なることとする。隣接する積層体コイルの嵌合部の形状が異なることにより、バスバーの組み付け間違いを防止することができる。
【００６８】
特に、図１１に示すように、複数のバスバーが固定された位置決めブロック１０４により一度に組み付け等の作業を行なう場合は、コイル１１２における各積層体コイルの開放端部の嵌合部において少なくとも１つが異なる形状を有することにより、バスバーの組み付け時の組み付け間違いを防止することができる。さらに、接合場所が特定されるために、位置決めを行なうための治具なしで接合処理を施すことができる。本実施の形態においては、内周側の３つの積層体コイルと、中央の３つの積層体コイルと、外周側の４つの積層体コイルとで嵌合部は、異なる形状を有する。
【００６９】
バスバーが積層体コイルに組み付けられると、図１２に示すように、コイル１１２に組み付けられたバスバーと各積層体コイルの開放端部とのそれぞれの嵌合部は、一点毎にレーザ溶接、あるいは、ＴＩＧ溶接により多点接合される。
【００７０】
バスバーと各積層体コイルの開放端部とが接合されると、渡り部材を用いてティース毎に巻着されたコイルが接続される。すなわち、本実施の形態の同期モータは、三相の交流同期モータであるため、３ティース毎にコイルの外周側のコイル端部と内周側のコイル端部とが図１３に示すように、渡り部材を用いて接続される。そして、図１４に示すように、コイル１１２と渡り部材１０６とをレーザ溶接あるいはＴＩＧ溶接により、接合処理が施される。その結果、図１に示すような固定子１００が形成される。そして、コイルエンド部に対して樹脂等を用いてモールド処理が施されて、図１５に示すような固定子１００が形成される。
【００７１】
本実施の形態に係る同期モータの固定子の製造方法においては、従来、コイルが巻着される前に行なっていた絶縁処理をコイルが巻着された後に行なう。このようにして、コイルおよび固定子鉄心に付着された絶縁材料の傷つきを防止するものである。
【００７２】
本実施の形態に係る同期モータの固定子の製造方法は、図１６に示すような手順で行なわれる。
【００７３】
すなわち、Ｓ１０００にて、固定子鉄心が製造される。すなわち、固定子鉄心は、電磁鋼板を所定の形状にプレス成形した後、予め定められた枚数だけ積層して形成される。Ｓ１１００にて、コイルは、固定子鉄心のティースの形状に合致する形状に成形される。ここで、「ティースの形状に合致する形状」とは、コイルがティースに巻着されたときに、コイルとティースとの間で隙間が生じるように設計された形状である。本実施の形態に係るコイルは、図２に示したようにコの字形状の金属平板を積層した積層体コイルである。積層体コイルを固定子鉄心のティースを跨ぐようにして組み付けたときに、コの字形状の積層体コイルにおける開放端部を有する二つの部材間の幅の寸法は、対応するティースの幅の寸法よりも大きい寸法になるように設計される。
【００７４】
Ｓ１２００にて、固定子鉄心に対して成形されたコイルを組み付ける。すなわち、図８〜図１２までに示したように、固定子鉄心が有するスロットに対してコイルの開放端部を挿入する。このとき、コイルはスロット間のティースに跨ぐようにして組み付けられる。そして、コイルの開放端部に対してバスバーを用いて接続することにより、固定子鉄心に対してコイルが巻着された状態とする。このとき、コイルと固定子鉄心との間には、積層体コイルの二つの部材間の幅の寸法とティース幅の寸法との差に応じて隙間が生じる。
【００７５】
Ｓ１３００にて、結線処理が行なわれる。すなわち、各スロットに巻着されたコイルの端部は、それぞれ対応するコイルの端部と、図１３および図１４に示したように渡り部材により結線処理が行なわれる。Ｓ１４００にて、後絶縁工程が行なわれる。後絶縁工程とは、本実施の形態に係る回転電機においては、図１５に示したように、固定子鉄心に巻着されたコイルに対して絶縁処理を施す処理である。絶縁処理については、本実施の形態において樹脂を加圧してコイルに付着されるいわゆる射出成形による絶縁処理を施すが、特に限定されるものではない。たとえば、エナメル材等の絶縁材料を満たした容器にコイルが巻着された固定子鉄心を含浸させることにより、コイルに対して絶縁処理を施してもよい。あるいは、容器にコイルが巻着された固定子鉄心を入れて密閉し、内部の空気を抜いた真空雰囲気において絶縁材料を充填していく真空含浸により絶縁処理を施してもよい。
【００７６】
このようにして、後絶縁工程における絶縁処理は、固定子鉄心とコイルとの隙間を絶縁材料である樹脂を用いて埋めるようにして絶縁される。そして、絶縁処理は、コイルと隣接するティースに巻着されるコイルとの間の隙間を樹脂を用いて埋めるようにして絶縁する。さらには、絶縁処理は、渡り部材あるいはバスバーとが接続されるコイルの結線処理部を樹脂を用いて埋めるようにして絶縁する。すなわち、本実施の形態においては、コイルが固定子鉄心に巻着された後に固定子鉄心とコイルとの間、コイルと隣接するティースに巻着されたコイルとの間、コイルの結線処理部の３ヶ所を同時に絶縁処理を行なう。絶縁処理が固定子鉄心にコイルが巻着された後に行なわれることにより、製造工程における絶縁被覆への傷つきを回避することができる。Ｓ１５００にて、製造された固定子の不良品の検査等の最終検査を行なう。
【００７７】
以上のようにして、本実施の形態に係る回転電機の固定子の製造方法によると、コイルを形成するステップにて、コイルは、固定子鉄心が有するティースとコイルとの間に隙間を有するように設計された形状に形成される。コイルをティースに巻着させるステップにて、コイルは、ティースに巻着される。処理ステップにて、固定子鉄心に巻着されたコイルに対して絶縁処理を施す。このように、固定子鉄心にコイルが巻着された後に、固定子鉄心のティースとコイルとの間の隙間に対して絶縁処理を行なうことにより、品質の高い絶縁処理を施すことができる。すなわち、コイルの巻着後に絶縁処理を施すため、固定子鉄心へのコイル組み付け時に固定子鉄心あるいは、コイルは、絶縁被覆されていない。そのため、コイルの組み付け時に絶縁被覆が傷つくことを回避することができる。したがって、絶縁処理は、高い絶縁品質を確保することができる。これにより、絶縁品質を向上させた回転電機の固定子の製造方法を提供することができる。
【００７８】
また、固定子鉄心へのコイルの組み付け時においては、絶縁被覆されていないため、部品の精度が高い。そして、コイルの組み付け時に絶縁被覆の傷つきを考慮する必要がない。そのため、固定子鉄心へのコイルの組み付けの工程を自動化することができる。すなわち、固定子鉄心へのコイルの組み付け性が向上する。そして、組み付けたコイルの品質の安定が図れる。さらに、絶縁被覆の傷つきが起こらないため、固定子の中間検査として行なわれる絶縁検査の工程を省略することができる。そのため、固定子の製造時間の短縮が図れる。すなわち、固定子の製造コストの低減が図れる。
【００７９】
そして、上述したように固定子の絶縁被覆に対して製造工程におけるダメージを受けることがなくなるため、製造工程におけるダメージに対する絶縁材料の強度を確保する必要がなくなる。そのため、耐熱性、耐電圧のより高い絶縁材料を使用することができる。すなわち、回転電機の耐熱性、耐電圧を向上させることができる。
【００８０】
さらに、製造工程におけるダメージに対する絶縁品質、信頼性を確保する必要がなくなるために絶縁材料の選択が制限されることもなくなる。したがって、今まで製造工程におけるダメージに対する強度等が確保できないため使用できなかった無機系の材料（たとえば、セラミックス、ガラス繊維等）を絶縁材料として使用することができる。
【００８１】
また、コイルが固定子鉄心に巻着された後にコイルと固定子鉄心との間が絶縁されるように処理される。コイルの巻着後に絶縁処理を施すため、固定子鉄心へのコイルの組み付け時には、固定子鉄心あるいはコイルは絶縁被覆されていない。また、コイルは、固定子鉄心のティースとコイルとの間に隙間を有するように設計された形状に形成される。そのため、コイルの組み付け時に、絶縁被覆が傷つくことを回避することができる。したがって、コイルと固定子鉄心との間の、コイルの寸法とティースの寸法の差に応じて生じる隙間に対して絶縁処理により、高い絶縁品質を確保することができる。
【００８２】
そして、コイルが固定子鉄心に巻着された後にコイルと、コイルが巻着されたティースと隣接するティースに巻着されたコイルとの間が絶縁されるように処理される。コイルの巻着後に絶縁処理を施すため、固定子鉄心へのコイル組み付け時に固定子鉄心あるいは、コイルは、絶縁被覆されていない。そのため、コイルの組み付け時に絶縁被覆が傷つくことを回避することができる。したがって、コイルと、コイルが巻着されたティースと隣接するティースに巻着されたコイルとの間に対しての絶縁処理により、高い絶縁品質を確保することができる。
【００８３】
さらに、コイルが固定子鉄心に巻着された後に結線処理されたコイルが絶縁されるように処理される。コイルの巻着後に絶縁処理を施すため、固定子鉄心へのコイル組み付け時に固定子鉄心あるいは、コイルは、絶縁被覆されていない。そのため、コイルの組み付け時に絶縁被覆が傷つくことを回避することができる。したがって、結線処理されたコイルに対しての絶縁処理により、高い絶縁品質を確保することができる。
【００８４】
そして、コイルが固定子鉄心に巻着された後に絶縁処理を施すため、固定子鉄心とコイルとの間、コイルと、コイルが巻着されたティースと隣接するティースに巻着されたコイルとの間、結線処理されたコイルの結線処理部の３ヶ所の中の少なくとも２ヶ所が同時に絶縁されるように処理することが可能になる。そのため、製造時間の短縮が図れる。したがって、固定子の製造コストの低減が図れる。
【００８５】
なお、本実施の形態において、積層体コイル間の絶縁は、積層体コイル間に絶縁材料を介在させることにより行なわれるがたとえば、積層体コイルを固定子鉄心に挿入する際に積層体コイル間で隙間が生じるように組み付けてもよい。すなわち、後絶縁工程において、固定子鉄心とコイルとの間、積層体コイル間、コイルと、コイルが巻着されたティースと隣接するティースに巻着されたコイルとの間、結線処理されたコイルの結線処理部の４ヶ所の中の少なくとも２ヶ所が同時に絶縁されるように処理することが可能になる。
【００８６】
また、コイルをスロットに挿入する前に絶縁処理を行なった場合においても、コイル挿入後に上述したような箇所に絶縁処理を行なえばよい。
【００８７】
＜第２の実施の形態＞
以下、第２の実施の形態に係る回転電機の固定子の製造方法について説明する。本実施の形態に係る固定子の製造方法を説明するにあたり、まず、この固定子の製造方法により製造された回転電機の固定子の構造について同期モータの固定子を一例として説明する。
【００８８】
図１７に示すように、本実施の形態に係る同期モータの固定子２００は、部分固定子鉄心２０２と、コイル端部２０４、２０６と、渡り部材２０８と、端子２１０とから構成される。部分固定子鉄心は、複数が組み合わされて、同期モータの固定子鉄心を形成する。
【００８９】
部分固定子鉄心２０２にコイル（図示せず）が巻着されている。そして、巻着されたコイルのコイル端部２０６が渡り部材２０８を介して部分固定子鉄心２１８のコイル端部と接続される。そして、端子２１０と他の２つの端子（図示せず）とのそれぞれに交流電力の位相を制御して供給する。これにより、固定子２００には、磁界が発生する。
【００９０】
図１８（Ａ）に示すように、固定子鉄心の製造工程において、部分固定子鉄心２０２が製造される。部分固定子鉄心２０２の製造方法は、特に限定されるものではないが、たとえば、粗形材を加工することにより形成されてもよいし、鉄粉に絶縁樹脂を混合し圧縮成形した、いわゆる圧粉成形により形成されてもよい。
【００９１】
一方、図１８（Ｂ）に示すようにコイル端部２０４、２０６を有するコイル２１２が巻回される。このコイル２１２を形成する導電部材は、絶縁処理が施されていない。このコイル２１２の導電部材の製造方法は、特に限定されるものではないが、たとえば、本実施の形態において、コイル２１２は、直線形状の金属平板を導電部材として、この金属平板を屈曲させてらせん形状に形成して製造される。このとき、コイル２１２は、らせん形状に形成される金属平板同士が接触する接触部において、隙間が生じるように設計される形状である。さらに、コイル２１２は、ティース２１４の形状に合致する形状になるように形成される。すなわち、コイル２１２をティース２１４に挿入したときに、コイル２１２とティース２１４との間に隙間が生じる形状になるように設計される。具体的には、コイル２１２のらせん形状の金属平板における内側の穴の幅、高さの寸法がティース２１２の幅、高さの寸法よりも大きい寸法になるように設計される。
【００９２】
そして、図１８（Ｃ）に示すように、コイル２１２は、部分固定子鉄心２０２に設けられるティース２１４に挿入されて巻着された状態となる。このとき、コイル２１２とティース２１４との間には、上述したようなそれぞれの寸法の差に応じて隙間が生じる。
【００９３】
そして、コイル２１２が巻着された部分固定子鉄心２０２は、図１９に示すように、同様に形成される部分固定子鉄心２１６と接続される。部分固定子鉄心同士の接続は、特に限定されるものではないが、たとえば、部分固定子鉄心２０２におけるヨーク部の周方向の両端部に凹凸形状の突出部および開口部をそれぞれ設ける。そして、隣接する部分固定子鉄心２１６が有する凹凸形状の突出部および開口部と嵌合することにより、接続される。
【００９４】
以上のようにして、固定子鉄心が構成される。そして、各部分固定子鉄心に対応するコイル端部がそれぞれ３つごとに渡り部材を介して接続される結線処理が施されることにより、図１７に示すような三相交流同期モータの固定子を構成する。
【００９５】
以上のような製造工程を経て構成された固定子２００に対して、絶縁材料である樹脂を用いて絶縁処理を施す。すなわち、絶縁処理は、部分固定子鉄心２０２に巻着されたコイル２１２を形成するらせん形状の金属平板同士間に形成された隙間を樹脂で埋めるようにして絶縁する。そして、絶縁処理は、コイル２１２と部分固定子鉄心２０２との間に生じる隙間を樹脂を用いて埋めるようにして絶縁する。さらに、絶縁処理は、コイル２１２と、部分固定子鉄心２０２に隣接する部分固定子鉄心に巻着されるコイルとの隙間を樹脂を用いて埋めるようにして絶縁する。そして、絶縁処理は、コイル端部と渡り部材が接続される結線処理部が樹脂を用いて埋めるようにして絶縁する。
【００９６】
絶縁処理については、本実施の形態において樹脂を加圧してコイルに付着されるいわゆる射出成形による絶縁処理を施すが、特に限定されるものではない。たとえば、エナメル材等の絶縁材料に満たした容器にコイルが巻着された固定子鉄心を含浸させることにより、コイルに対して絶縁処理を施しても良い。あるいは、容器にコイルが巻着された固定子鉄心を入れて密閉し、内部の空気を抜いた真空雰囲気において絶縁材料を充填していく真空含浸により絶縁処理を施しても良い。
【００９７】
本実施の形態においては、コイルが固定子鉄心に巻着された後に、固定子鉄心とコイルとの間、らせん形状に形成された金属平板同士の接触部、コイルと隣接するティースに巻着されたコイルとの間、コイルの結線処理部の４ヶ所を同時に絶縁処理を行なう。絶縁処理が固定子鉄心にコイルが巻着された後に行なわれることにより、製造工程における絶縁被覆への傷つきを回避することができる。
【００９８】
このような構成の回転電機の固定子２００の製造方法は、前述した第１の実施の形態において、Ｓ２４００の後絶縁工程において、コイルを形成する金属平板同士の接触部に対して絶縁処理をさらに含む以外、図１６を用いて説明した手順と同様の手順で行なわれる。そのため、詳細な説明は繰り返さない。
【００９９】
以上のようにして、本実施の形態に係る回転電機の固定子の製造方法によると、前述の第１の実施の形態と同様の効果を有する。
【０１００】
さらに、固定子鉄心における各ティースに巻着されたコイルは、らせん形状に形成された金属平板で形成される。また、コイルは、金属平板同士が接触する接触部を有する。なお、「接触部」は、金属平板同士の間に隙間を有している状態を含む。そして、処理ステップにて、コイルが固定子鉄心に巻着された後に接触部が絶縁されるように処理される。コイルの巻着後に接触部の絶縁処理を施すため、固定子鉄心へのコイル組み付け時に固定子鉄心あるいは、コイルは、絶縁被覆されていない。そのため、コイルの組み付け時に絶縁被覆が傷つくことを回避することができる。したがって、接触部に対しての絶縁処理により、高い絶縁品質を確保することができる。
【０１０１】
また、コイルが固定子鉄心に巻着された後に絶縁処理を施すため、固定子鉄心とコイルとの間、コイルの金属平板同士の接触部、コイルと、コイルが巻着されたティースと隣接するティースに巻着されたコイルとの間、結線処理されたコイルの結線処理部の４ヶ所の中の少なくとも２ヶ所が同時に絶縁されるように処理することが可能になる。そのため、製造時間の短縮が図れる。したがって、固定子の製造コストの低減が図れる。
【０１０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０３】
１００，２００  固定子、１０２  ステータコア、１０４  バスバー位置決めブロック、１０６，２０８  渡り部材、１０８，２１４  ティース、１１０  バスバー、１１２，２１２  コイル、１１４，１２４  積層体コイル、１１６，１２０，１２２，１２６  金属平板、１３４，１３６，１３８，１４０，１４２，１４４，２０４，２０６  コイル端部、１４６，１４８  スロット、１５０，１５２，２１８，３１８  端部、２０２，２１６，２１８  部分固定子鉄心、２１０  端子。
【手続補正２】
【補正対象書類名】特許請求の範囲
【補正対象項目名】全文
【補正方法】変更
【補正の内容】
【特許請求の範囲】
【請求項１】
回転子と固定子とから構成される回転電機の固定子の製造方法であって、前記固定子は、複数のティースを有する固定子鉄心と、前記ティースに巻着されたコイルとを含み、
前記ティースの形状に合致する形状に前記コイルを形成するステップと、
前記固定子鉄心を製造するステップと、
前記コイルを前記ティースに巻着させるステップと、
前記固定子鉄心に巻着された前記コイルに対して絶縁処理を施す処理ステップとを含み、
前記コイルは絶縁処理されていない金属平板をらせん状に屈曲して形成され、前記処理ステップは、前記コイルを構成する金属平板同士の隙間に絶縁材料を充填することにより絶縁処理するステップを含む、
固定子の製造方法。
【請求項２】
前記処理ステップは、前記固定子鉄心と前記コイルとの間が前記絶縁材料により同時に絶縁されるように処理するステップを含む、請求項１に記載の固定子の製造方法。
【請求項３】
前記処理ステップは、前記コイルと、前記コイルが巻着された前記ティースと隣接するティースに巻着されたコイルとの間が前記絶縁材料により同時に絶縁されるように処理するステップを含む、請求項１または２に記載の固定子の製造方法。
【請求項４】
前記処理ステップは、結線処理されたコイルの結線処理部が前記絶縁材料により同時に絶縁されるように処理するステップを含む、請求項１〜３のいずれか一項に記載の固定子の製造方法。
【請求項５】
前記処理ステップは、前記絶縁材料を加圧して前記コイルに付着させるステップを含む、請求項１〜４のいずれか一項に記載の固定子の製造方法。
【請求項６】
前記処理ステップは、前記絶縁材料を前記コイルに含浸させて前記コイルに付着させるステップを含む、請求項１〜４のいずれか一項に記載の固定子の製造方法。
【請求項７】
前記処理ステップは、真空雰囲気において前記絶縁材料を前記コイルに含浸させて、前記コイルに付着させるステップを含む、請求項１〜４のいずれか一項に記載の固定子の製造方法。
【請求項８】
前記処理ステップは、無機系の前記絶縁材料を前記コイルに付着させるステップを含む、請求項１〜７のいずれか一項に記載の固定子の製造方法。